(57)【要約】【課題】元画像が分割されて印刷された複数の分割画像印刷用紙どうしを精確に貼り合わせること。【解決手段】複数の印刷用紙を糊付けして仕上がり用紙とした状態での前記各用紙の露出領域である画像記録領域を各用紙毎に演算して記憶する用紙毎の画像記録領域演算記憶手段（Ｃ３５Ａ）と、元画像サイズに基づいて定まる印刷画像データを、画像記録領域毎に割り付ける印刷画像データ割り付け手段（Ｃ３５Ｂ）と、仕上がり用紙において、各印刷用紙に印刷される前記分割画像が連続するように貼り合せるための貼合位置情報を前記各印刷用紙に割り付ける貼合位置情報割付手段（Ｃ３５Ｄ）と、前記各印刷用紙の前記各画像記録領域毎に割り付けられた印刷画像データ及び貼合位置情報を、前記各印刷用紙に印刷するように印刷装置（Ｐｒ）の動作を制御する印刷制御手段（Ｃ３６）とを備えた画像処理装置。【選択図】    図６
2004289660.tif 000002
【特許請求の範囲】
【請求項１】
下記の構成要件（Ａ０１）〜（Ａ０５）を備えた画像処理装置、
（Ａ０１）印刷対象となる元画像の画像データと、前記元画像を分割印刷することを指定する分割印刷指定データと、を含む送信用印刷データを受信したときに受信印刷データとして記憶する受信印刷データ記憶手段、
（Ａ０２）前記複数の印刷用紙を糊付けする際の各用紙の重合わせ順序と糊代幅とに応じて、前記複数の印刷用紙を糊付けして仕上がり用紙とした状態での前記各用紙の露出領域である画像記録領域を各用紙毎に演算して記憶する用紙毎の画像記録領域演算記憶手段、
（Ａ０３）前記元画像サイズに基づいて定まる印刷画像を記録するための印刷画像データを、前記各用紙の前記露出領域である画像記録領域毎に割り付ける印刷画像データ割り付け手段、
（Ａ０４）前記元画像が分割された分割画像が印刷される印刷用紙を糊代で貼り合せて形成される仕上がり用紙において、各印刷用紙に印刷される前記分割画像が連続するように貼り合せるための貼合位置を表示するための貼合位置情報を前記各印刷用紙に割り付ける貼合位置情報割付手段、
（Ａ０５）前記各印刷用紙の前記各画像記録領域毎に割り付けられた印刷画像データ及び貼合位置情報を、前記各印刷用紙に印刷するように印刷装置の動作を制御する印刷制御手段。
【請求項２】
下記の構成要件（Ａ０１）〜（Ａ０４），（Ａ０５′）を備えた画像処理装置、
（Ａ０１）印刷対象となる元画像の画像データと、前記元画像を分割印刷することを指定する分割印刷指定データと、を含む送信用印刷データを受信したときに受信印刷データとして記憶する受信印刷データ記憶手段、
（Ａ０２）前記複数の印刷用紙を糊付けする際の各用紙の重合わせ順序と糊代幅とに応じて、前記複数の印刷用紙を糊付けして仕上がり用紙とした状態での前記各用紙の露出領域である画像記録領域を各用紙毎に演算して記憶する用紙毎の画像記録領域演算記憶手段、
（Ａ０３）前記元画像サイズに基づいて定まる印刷画像を記録するための印刷画像データを、前記各用紙の前記露出領域である画像記録領域毎に割り付ける印刷画像データ割り付け手段、
（Ａ０４）前記元画像が分割された分割画像が印刷される印刷用紙を糊代で貼り合せて形成される仕上がり用紙において、各印刷用紙に印刷される前記分割画像が連続するように貼り合せるための貼合位置を表示するための貼合位置情報を前記各印刷用紙に割り付ける貼合位置情報割付手段、
（Ａ０５′）前記各印刷用紙の前記各画像記録領域毎に割り付けられた印刷画像データ及び貼合位置情報を、前記各印刷用紙に印刷する画像記録手段。
【請求項３】
下記の構成要件（Ａ０６），（Ａ０７）を備えた請求項１または２記載の画像処理装置、
（Ａ０６）前記貼合位置情報を印刷するか否かを指定する貼合位置情報指定値を含む前記送信用印刷データを受信したときに前記受信印刷データとして記憶する前記受信印刷データ記憶手段、
（Ａ０７）前記貼合位置情報指定値によって、前記貼合位置情報を印刷することが指定されている場合に、前記貼合位置情報を前記各印刷用紙に割り付ける前記貼合位置情報割付手段。
【請求項４】
下記の構成要件（Ａ０８）を備えた請求項１ないし３のいずれか記載の画像処理装置、
（Ａ０８）糊代領域に印刷される前記貼合位置情報。
【請求項５】
下記の構成要件（Ａ０９）を備えた請求項１ないし３のいずれか記載の画像処理装置、
（Ａ０９）糊代で貼り合わせる際に、上側に重なる前記印刷用紙の表面の前記画像形成領域と糊代領域との境界に沿って印刷される表面位置情報と、下側に重なる前記印刷用紙の表面の前記画像形成領域と糊代領域との境界に沿って印刷される表面位置情報と、を含む前記貼合位置情報。
【請求項６】
下記の構成要件（Ａ０１０）を備えた請求項１ないし５のいずれか記載の画像処理装置、
（Ａ０１０）糊代で貼り合わせる際に、上側に重なる前記印刷用紙の裏面の糊代領域に前記印刷用紙の端から所定幅離れた位置に印刷される重ね合わせ部分識別線と、下側に重なる前記印刷用紙の表面の糊代領域と前記画像記録領域との境界に沿って前記所定幅と同一幅離れた位置に印刷される前記重ね合わせ部分識別線と、を含む前記貼合位置情報。
【請求項７】
下記の構成要件（Ａ０１１）を備えた請求項１ないし６のいずれか記載の画像処理装置、
（Ａ０１１）糊代で貼り合わせる際に、上側に重なる印刷用紙の裏面の糊代領域に印刷される重ね合わせ部分識別番号と、下側に重なる印刷用紙の表面の糊代領域に印刷される前記重ね合わせ部分識別番号と、を含む前記貼合位置情報。
【請求項８】
下記の構成要件（Ａ０１２）を備えた請求項１ないし７のいずれか記載の画像処理装置、
（Ａ０１２）前記画像記録領域が印刷用紙の端まで設定不能の場合に、前記画像記録領域の端と印刷用紙の端との間の縁領域を印刷用紙から裁断するための位置を表示する裁断位置情報を含む前記貼合位置情報。
【請求項９】
下記の構成要件（Ａ０１３）を備えた請求項１ないし８のいずれか記載の画像処理装置、
（Ａ０１３）前記仕上がり用紙に対して前記各印刷用紙が配置される位置を示すレイアウト位置情報を含む前記貼合位置情報。
【請求項１０】
下記の構成要件（Ｂ０１）〜（Ｂ０５）を備えた画像処理装置、
（Ｂ０１）印刷対象となる元画像の画像データおよび前記元画像のサイズである元画像用紙サイズを記憶する元画像記憶手段、
（Ｂ０２）前記元画像を前記元画像用紙サイズよりも小さなサイズの印刷用紙に分割して印刷する際に使用する印刷パラメータの設定を行うための画面である分割印刷設定画面を表示する分割印刷設定画面表示手段、
（Ｂ０３）前記複数の印刷用紙を糊代で貼り合せて形成される仕上がり用紙において各印刷用紙に印刷される分割画像が連続するように貼り合せるための貼合位置を表示するための貼合位置情報を印刷するか否かの指定をするための貼合位置情報設定画像を前記分割印刷設定画面に表示する貼合位置情報設定画像表示手段と、前記貼合位置情報設定画像への入力により定まる貼合位置情報を印刷するか否かの指定の有無を貼合位置情報指定値として記憶する貼合位置情報指定値記憶手段とを有する貼合位置情報指定手段、
（Ｂ０４）前記元画像の画像データと、前記貼合位置情報指定値を含む印刷データを作成する印刷データ作成手段、
（Ｂ０５）前記印刷データを送信する印刷データ送信手段。
【請求項１１】
下記の構成要件（Ｂ０１）〜（Ｂ０３），（Ｂ０６）〜（Ｂ０８）を備えた画像処理装置、
（Ｂ０１）印刷対象となる元画像の画像データおよび前記元画像のサイズである元画像用紙サイズを記憶する元画像記憶手段、
（Ｂ０２）前記元画像を前記元画像用紙サイズよりも小さなサイズの印刷用紙に分割して印刷する際に使用する印刷パラメータの設定を行うための画面である分割印刷設定画面を表示する分割印刷設定画面表示手段、
（Ｂ０３）前記複数の印刷用紙を糊代で貼り合せて形成される仕上がり用紙において各印刷用紙に印刷される分割画像が連続するように貼り合せるための貼合位置を表示するための貼合位置情報を印刷するか否かの指定をするための貼合位置情報設定画像を前記分割印刷設定画面に表示する貼合位置情報設定画像表示手段と、前記貼合位置情報設定画像への入力により定まる貼合位置情報を印刷するか否かの指定の有無を貼合位置情報指定値として記憶する貼合位置情報指定値記憶手段とを有する貼合位置情報指定手段、
（Ｂ０６）前記元画像サイズに基づいて定まる印刷画像を記録するための印刷画像データを、前記各用紙の前記露出領域である画像記録領域毎に割り付ける印刷画像データ割り付け手段、
（Ｂ０７）前記貼合位置情報指定値によって貼合位置情報を印刷することが指定されている場合に、元画像が分割された分割画像が印刷される印刷用紙を糊代で貼り合せて形成される仕上がり用紙において、各印刷用紙に印刷される前記分割画像が連続するように貼り合せるための貼合位置を表示するための貼合位置情報を前記各印刷用紙に割り付ける貼合位置情報割付手段、
（Ｂ０８）前記各印刷用紙の前記各画像記録領域毎に割り付けられた印刷画像データ及び貼合位置情報を、前記各印刷用紙に印刷するように印刷装置の動作を制御する印刷制御手段。
【請求項１２】
下記の構成要件（Ｂ０９）を備えた請求項１０または１１のいずれか記載の画像処理装置、
（Ｂ０９）糊代で貼り合わせる際に、上側に重なる前記印刷用紙の表面の前記画像形成領域と糊代領域との境界に沿って印刷される表面位置情報と、下側に重なる前記印刷用紙の表面の前記画像形成領域と糊代領域との境界に沿って印刷される表面位置情報とを印刷するか否かを指定するための表面位置情報指定画像を表示する表面位置情報指定画像表示手段と、前記表面位置情報指定画像への入力により定まる前記表面位置情報を印刷するか否かの指定の有無を表面位置情報有無指定値として記憶する表面位置情報指定値記憶手段とを有する表面位置情報指定手段。
【請求項１３】
下記の構成要件（Ｂ０１０）を備えた請求項１０ないし１２のいずれか記載の画像処理装置、
（Ｂ０１０）糊代で貼り合わせる際に、上側に重なる前記印刷用紙の裏面の糊代領域に前記印刷用紙の端から所定幅離れた位置に印刷される重ね合わせ部分識別線と、下側に重なる前記印刷用紙の表面の糊代領域と前記画像記録領域との境界に沿って前記所定幅と同一幅離れた位置に印刷される前記重ね合わせ部分識別線とを印刷するか否かを指定するための識別線指定画像を表示する識別線指定画像表示手段と、前記識別線指定画像への入力により定まる前記重ね合わせ部分識別線を印刷するか否かの指定の有無を識別線有無指定値として記憶する識別線指定値記憶手段とを有する識別線指定手段。
【請求項１４】
下記の構成要件（Ｂ０１１）を備えた請求項１０ないし１３のいずれか記載の画像処理装置、
（Ｂ０１１）糊代で貼り合わせる際に、上側に重なる印刷用紙の裏面の糊代領域に印刷される重ね合わせ部分識別番号と、下側に重なる印刷用紙の表面の糊代領域に印刷される前記重ね合わせ部分識別番号とを印刷するか否かを指定するための識別番号指定画像を表示する識別番号指定画像表示手段と、前記識別番号指定画像への入力により定まる前記重ね合わせ部分識別番号を印刷するか否かの指定の有無を識別番号有無指定値として記憶する識別番号指定値記憶手段とを有する識別番号指定手段。
【請求項１５】
下記の構成要件（Ｂ０１２）を備えた請求項１０ないし１４のいずれか記載の画像処理装置、
（Ｂ０１２）前記画像記録領域が印刷用紙の端まで設定不能の場合に、前記画像記録領域の端と印刷用紙の端との間の縁領域を印刷用紙から裁断するための位置を表示する裁断位置情報を印刷するか否かを指定するための裁断位置情報指定画像を表示する裁断位置情報指定画像表示手段と、前記裁断位置情報指定画像への入力により定まる前記裁断位置情報を印刷するか否かの指定の有無を裁断位置情報有無指定値として記憶する裁断位置情報指定値記憶手段とを有する裁断位置情報指定手段。
【請求項１６】
下記の構成要件（Ｂ０１３）を備えた請求項１０ないし１５のいずれか記載の画像処理装置、
（Ｂ０１３）前記各印刷用紙の前記仕上がり用紙に対する配置位置を示すレイアウト位置情報を印刷するか否かを指定するためのレイアウト位置情報指定画像を表示するレイアウト位置情報指定画像表示手段と、前記レイアウト位置情報指定画像への入力により定まる前記レイアウト位置情報を印刷するか否かの指定の有無をレイアウト位置情報有無指定値として記憶するレイアウト位置情報指定値記憶手段とを有するレイアウト位置情報指定手段。
【発明の詳細な説明】
【０００１】
【産業上の利用分野】
本発明は、印刷対象となる元画像を印刷する際に使用される印刷パラメータの設定や前記印刷パラメータに基づく印刷処理を行う画像処理装置に関し、特に、元画像のサイズが印刷される印刷用紙のサイズよりも大きな場合に元画像が分割して印刷された分割画像印刷用紙を貼り合わせるための糊代を形成して印刷する画像処理装置に関する。
【０００２】
【従来の技術】
従来、印刷対象となる元画像の画像データを元画像のサイズよりも小さなサイズの印刷用紙に印刷する際に、印刷用紙のサイズに対応する元画像の一部だけを印刷する技術と、元画像を印刷用紙のサイズに分割して複数の印刷用紙に印刷する技術とが知られている。また、前記複数の印刷用紙に分割して印刷する技術において、分割画像が印刷された複数の分割画像印刷用紙をユーザが貼り合わせて元画像にするために、分割印刷時に一定幅の糊代を確保して印刷することも行われている。
【０００３】
前記分割印刷時に糊代を確保して印刷する技術として、次の従来技術（Ｊ０１）が公知である。
（Ｊ０１）特許文献１（特開平７−８７３００号公報）記載の技術
特許文献１には、印刷用紙サイズよりも元画像サイズが大きな元画像を分割して印刷する場合に、分割画像が印刷された分割画像印刷用紙と、縮小された元画像と元画像上に配置された分割画像印刷用紙の境界を示す境界線とを有する分割情報が形成された分割情報表示用の印刷用紙が１枚印刷され、前記分割情報が印刷された用紙を参照することで、各分割画像印刷用紙が全体に対してどの位置に配置されるのかを把握する技術が記載されている。
【０００４】
【特許文献１】特開平７−８７３００号公報（段落番号「００１４」〜「００１７」、「００４９」〜「００５５」）
【０００５】
【発明が解決しようとする課題】
しかしながら、前記従来技術（Ｊ０１）では、複数枚の分割画像印刷用紙に関し、どの分割画像印刷用紙の隣にどの分割画像印刷用紙が配置されるかを把握することはできるが、各分割画像印刷用紙や分割情報が印刷された印刷用紙を見ても、どの程度の幅の糊代があるのかが明確に分からない。したがって、隣接する分割画像用紙どうしを、どの程度重ね合わせた状態で貼り合わせればよいのかが精確に分からないという問題がある。この結果、各分割画像印刷用紙を貼り合わせ後に形成される仕上がり用紙において、精確に貼り合わすことができず、元画像が精確に再現されないという問題がある。また、分割画像印刷用紙を貼り合わせた後は、分割情報が印刷された用紙は必要なくなり、印刷用紙の無駄となるという問題がある。
【０００６】
本発明は、前述の事情に鑑み、分割印刷において、下記（Ｏ０１），（Ｏ０２）の記載内容を技術的課題とする。
（Ｏ０１）元画像が分割されて印刷された複数の分割画像印刷用紙どうしを精確に貼り合わせること。
（Ｏ０２）分割画像印刷用紙どうしの貼り合わせをユーザが容易に判断できるようにすること。
【０００７】
【課題を解決するための手段】
次に、前記課題を解決するために案出した本発明を説明するが、本発明の要素には、後述の実施の形態の要素との対応を容易にするため、実施の形態の要素の符号をカッコで囲んだものを付記する。また、本発明を後述の実施の形態の符号と対応させて説明する理由は、本発明の理解を容易にするためであり、本発明の範囲を実施の形態に限定するためではない。
【０００８】
（本発明）
（第１発明）
前記課題を解決するために、第１発明の画像処理装置は、下記の構成要件（Ａ０１）〜（Ａ０５）を備えることを特徴とする、
（Ａ０１）印刷対象となる元画像（Ｇ）の画像データと、前記元画像（Ｇ）を分割印刷することを指定する分割印刷指定データと、を含む送信用印刷データを受信したときに受信印刷データとして記憶する受信印刷データ記憶手段（Ｃ３１）、
（Ａ０２）前記複数の印刷用紙を糊付けする際の各用紙の重合わせ順序と糊代幅とに応じて、前記複数の印刷用紙を糊付けして仕上がり用紙とした状態での前記各用紙の露出領域である画像記録領域を各用紙毎に演算して記憶する用紙毎の画像記録領域演算記憶手段（Ｃ３５Ａ）、
（Ａ０３）前記元画像サイズに基づいて定まる印刷画像を記録するための印刷画像データを、前記各用紙の前記露出領域である画像記録領域毎に割り付ける印刷画像データ割り付け手段（Ｃ３５Ｂ）、
（Ａ０４）前記元画像（Ｇ）が分割された分割画像が印刷される印刷用紙を糊代で貼り合せて形成される仕上がり用紙において、各印刷用紙に印刷される前記分割画像が連続するように貼り合せるための貼合位置を表示するための貼合位置情報（３１〜３６）を前記各印刷用紙に割り付ける貼合位置情報割付手段（Ｃ３５Ｄ）、
（Ａ０５）前記各印刷用紙の前記各画像記録領域毎に割り付けられた印刷画像データ及び貼合位置情報（３１〜３６）を、前記各印刷用紙に印刷するように印刷装置（Ｐｒ）の動作を制御する印刷制御手段（Ｃ３６）。
【０００９】
前記構成要件（Ａ０１）〜（Ａ０５）を備えた第１発明の画像処理装置では、受信印刷データ記憶手段（Ｃ３１）は、印刷対象となる元画像（Ｇ）の画像データと、前記元画像（Ｇ）を分割印刷することを指定する分割印刷指定データと、を含む送信用印刷データを受信したときに受信印刷データとして記憶する。用紙毎の画像記録領域演算記憶手段（Ｃ３５Ａ）は、前記複数の印刷用紙を糊付けする際の各用紙の重合わせ順序と糊代幅とに応じて、前記複数の印刷用紙を糊付けして仕上がり用紙とした状態での前記各用紙の露出領域である画像記録領域を各用紙毎に演算して記憶する。印刷画像データ割り付け手段（Ｃ３５Ｂ）は、前記元画像サイズに基づいて定まる印刷画像を記録するための印刷画像データを、前記各用紙の前記露出領域である画像記録領域毎に割り付ける。
【００１０】
貼合位置情報割付手段（Ｃ３５Ｄ）は、前記元画像（Ｇ）が分割された分割画像が印刷される印刷用紙を糊代で貼り合せて形成される仕上がり用紙において、各印刷用紙に印刷される前記分割画像が連続するように貼り合せるための貼合位置を表示するための貼合位置情報（３１〜３６）を前記各印刷用紙に割り付ける。印刷制御手段（Ｃ３６）は、前記各印刷用紙の前記各画像記録領域毎に割り付けられた印刷画像データ及び貼合位置情報（３１〜３６）を、前記各印刷用紙に印刷するように印刷装置（Ｐｒ）の動作を制御する。
したがって、印刷装置（Ｐｒ）によって印刷された各印刷用紙の貼合位置情報（３１〜３６）を参照することによって、ユーザが重なり合う印刷用紙を容易に判別することができると共に、印刷用紙を重ね合わせた時に貼合位置情報（３１〜３６）の位置が一致するように貼り合わせることによって、各印刷用紙に印刷される前記分割画像が連続するように貼り合せることができる。この結果、複数の分割画像印刷用紙どうしを精確に貼り合わせることができ、仕上がり用紙において元画像（Ｇ）を再現することができる。
【００１１】
（第２発明）
前記課題を解決するために、第２発明の画像処理装置は、下記の構成要件（Ａ０１）〜（Ａ０４），（Ａ０５′）を備えたことを特徴とする、
（Ａ０１）印刷対象となる元画像（Ｇ）の画像データと、前記元画像（Ｇ）を分割印刷することを指定する分割印刷指定データと、を含む送信用印刷データを受信したときに受信印刷データとして記憶する受信印刷データ記憶手段（Ｃ３１）、
（Ａ０２）前記複数の印刷用紙を糊付けする際の各用紙の重合わせ順序と糊代幅とに応じて、前記複数の印刷用紙を糊付けして仕上がり用紙とした状態での前記各用紙の露出領域である画像記録領域を各用紙毎に演算して記憶する用紙毎の画像記録領域演算記憶手段（Ｃ３５Ａ）、
（Ａ０３）前記元画像サイズに基づいて定まる印刷画像を記録するための印刷画像データを、前記各用紙の前記露出領域である画像記録領域毎に割り付ける印刷画像データ割り付け手段（Ｃ３５Ｂ）、
（Ａ０４）前記元画像（Ｇ）が分割された分割画像が印刷される印刷用紙を糊代で貼り合せて形成される仕上がり用紙において、各印刷用紙に印刷される前記分割画像が連続するように貼り合せるための貼合位置を表示するための貼合位置情報（３１〜３６）を前記各印刷用紙に割り付ける貼合位置情報割付手段（Ｃ３５Ｄ）、
（Ａ０５′）前記各印刷用紙の前記各画像記録領域毎に割り付けられた印刷画像データ及び貼合位置情報（３１〜３６）を、前記各印刷用紙に印刷する画像記録手段（Ｃ４１）。
【００１２】
前記構成要件（Ａ０１）〜（Ａ０４），（Ａ０５′）を備えた第２発明の画像処理装置では、受信印刷データ記憶手段（Ｃ３１）は、印刷対象となる元画像（Ｇ）の画像データと、前記元画像（Ｇ）を分割印刷することを指定する分割印刷指定データと、を含む送信用印刷データを受信したときに受信印刷データとして記憶する。用紙毎の画像記録領域演算記憶手段（Ｃ３５Ａ）は、前記複数の印刷用紙を糊付けする際の各用紙の重合わせ順序と糊代幅とに応じて、前記複数の印刷用紙を糊付けして仕上がり用紙とした状態での前記各用紙の露出領域である画像記録領域を各用紙毎に演算して記憶する。印刷画像データ割り付け手段（Ｃ３５Ｂ）は、前記元画像サイズに基づいて定まる印刷画像を記録するための印刷画像データを、前記各用紙の前記露出領域である画像記録領域毎に割り付ける。
【００１３】
貼合位置情報割付手段（Ｃ３５Ｄ）は、前記元画像（Ｇ）が分割された分割画像が印刷される印刷用紙を糊代で貼り合せて形成される仕上がり用紙において、各印刷用紙に印刷される前記分割画像が連続するように貼り合せるための貼合位置を表示するための貼合位置情報（３１〜３６）を前記各印刷用紙に割り付ける。画像記録手段（Ｃ４１）は、前記各印刷用紙の前記各画像記録領域毎に割り付けられた印刷画像データ及び貼合位置情報（３１〜３６）を、前記各印刷用紙に印刷する。したがって、前記画像記録手段（Ｃ４１）によって印刷された各印刷用紙の貼合位置情報（３１〜３６）を参照することによって、ユーザが重なり合う印刷用紙を容易に判別することができると共に、印刷用紙を重ね合わせた時に貼合位置情報（３１〜３６）の位置が一致するように貼り合わせることによって、各印刷用紙に印刷される前記分割画像が連続するように貼り合せることができる。この結果、複数の分割画像印刷用紙どうしを精確に貼り合わせることができ、仕上がり用紙において元画像（Ｇ）を再現することができる。
【００１４】
また、前記第１発明または第２発明の画像処理装置は、下記の構成要件（Ａ０６），（Ａ０７）を備えることも可能である、
（Ａ０６）前記貼合位置情報（３１〜３６）を印刷するか否かを指定する貼合位置情報指定値を含む前記送信用印刷データを受信したときに前記受信印刷データとして記憶する前記受信印刷データ記憶手段（Ｃ３１）、
（Ａ０７）前記貼合位置情報指定値によって、前記貼合位置情報（３１〜３６）を印刷することが指定されている場合に、前記貼合位置情報（３１〜３６）を前記各印刷用紙に割り付ける前記貼合位置情報割付手段（Ｃ３５Ｄ）。
前記構成要件（Ａ０６），（Ａ０７）を備えた第１発明または第２発明の画像処理装置では、前記受信印刷データ記憶手段（Ｃ３１）に記憶された受信印刷データに含まれる貼合位置情報指定値によって、前記貼合位置情報（３１〜３６）を印刷することが指定されている場合に、前記貼合位置情報割付手段（Ｃ３５Ｄ）によって前記貼合位置情報（３１〜３６）が前記各印刷用紙に割り付けられる。したがって、貼合位置情報（３１〜３６）を印刷するか否かを送信用印刷データの貼合位置情報指定値により指定することができる。
【００１５】
また、前記第１発明または第２発明の画像処理装置は、下記の構成要件（Ａ０８）を備えることも可能である、
（Ａ０８）糊代領域に印刷する前記貼合位置情報（３１，３２，３６）。
したがって、貼合位置情報（３１，３２，３６）が糊代領域に印刷されるので、印刷用紙を貼り合わせた時に、前記貼合位置情報（３１，３２，３６）が上側に重なる印刷用紙によって隠されるので、画像が記録された側に貼合位置情報（３１，３２，３６）が露出することを防止できる。この結果、印刷された貼合位置情報（３１，３２，３６）を裁断する手間を省くことができ、貼り合わせ作業を短時間で行うことができる。
【００１６】
また、前記第１発明または第２発明の画像処理装置は、下記の構成要件（Ａ０９）を備えることも可能である、
（Ａ０９）糊代で貼り合わせる際に、上側に重なる前記印刷用紙の表面の前記画像形成領域と糊代領域との境界に沿って印刷される表面位置情報（３４）と、下側に重なる前記印刷用紙の表面の前記画像形成領域と糊代領域との境界に沿って印刷される表面位置情報（３４）と、を含む前記貼合位置情報（３４）。
したがって、上側に重なる印刷用紙（上側用紙）の表面位置情報（３４）と、下側に重なる印刷用紙（下側用紙）の表面位置情報（３４）とが一致または連続するように貼り合わせることによって、上側用紙の画像記録領域と下側用紙の画像記録領域とが精確に連続した状態で貼り合わせることができる。
【００１７】
また、前記第１発明または第２発明の画像処理装置は、下記の構成要件（Ａ０１０）を備えることも可能である、
（Ａ０１０）糊代で貼り合わせる際に、上側に重なる前記印刷用紙の裏面の糊代領域に前記印刷用紙の端から所定幅離れた位置に印刷される重ね合わせ部分識別線（３２）と、下側に重なる前記印刷用紙の表面の糊代領域と前記画像記録領域との境界に沿って前記所定幅と同一幅離れた位置に印刷される前記重ね合わせ部分識別線（３２）と、を含む前記貼合位置情報（３２）。
したがって、上側用紙の裏面の糊代領域に印刷された重ね合わせ部分識別線（３２）と、下側用紙の表面の糊代領域に印刷された重ね合わせ部分識別線（３２）とが一致するように貼り合わせた場合、上側用紙の印刷用紙の端からの幅と、下側用紙の画像記録領域との境界からの幅とが同一なので、下側用紙の画像記録領域の境界と上側用紙の印刷用紙の端とが連続する。したがって、上側用紙の印刷用紙の端まで画像記録領域がある場合、上側用紙の画像記録領域と下側用紙の画像記録領域とが精確に連続した状態で貼り合わせることができる。
【００１８】
また、前記第１発明または第２発明の画像処理装置は、下記の構成要件（Ａ０１１）を備えることも可能である、
（Ａ０１１）糊代で貼り合わせる際に、上側に重なる印刷用紙の裏面の糊代領域に印刷される重ね合わせ部分識別番号（３１）と、下側に重なる印刷用紙の表面の糊代領域に印刷される前記重ね合わせ部分識別番号（３１）と、を含む前記貼合位置情報（３１）。
したがって、前記重ね合わせ部分識別番号（３１）を参照することによって、各印刷用紙のどの糊代領域が、他のどの印刷用紙のどの糊代領域に貼り合わされるのかを正確且つ容易に認識することができる。
【００１９】
また、前記第１発明または第２発明の画像処理装置は、下記の構成要件（Ａ０１２）を備えることも可能である、
（Ａ０１２）前記画像記録領域が印刷用紙の端まで設定不能の場合に、前記画像記録領域の端と印刷用紙の端との間の縁領域を印刷用紙から裁断するための位置を表示する裁断位置情報（３３）を含む前記貼合位置情報（３３）。
したがって、裁断位置情報（３３）に基づいて縁領域を裁断することによって、印刷用紙を重ね合わせた時に縁領域によって分割画像が不連続になることを防止でき、前記画像記録領域が印刷用紙の端まで設定不能の場合でも画像記録領域が連続するように正確に貼り合わせることができる。
【００２０】
また、前記第１発明または第２発明の画像処理装置は、下記の構成要件（Ａ０１３）を備えることも可能である、
（Ａ０１３）前記仕上がり用紙に対して前記各印刷用紙が配置される位置を示すレイアウト位置情報（３６）を含む前記貼合位置情報（３６）。
したがって、前記レイアウト位置情報（３６）を参照することによって、印刷用紙が前記仕上がり用紙に対してどの位置に配置されるのかを容易に認識することができ、貼り合わせ作業を効率的に短時間で行うことができる。
【００２１】
（第３発明）
前記課題を解決するために第３発明の画像処理装置は、下記の構成要件（Ｂ０１）〜（Ｂ０５）を備えたことを特徴とする、
（Ｂ０１）印刷対象となる元画像（Ｇ）の画像データおよび前記元画像（Ｇ）のサイズである元画像用紙サイズを記憶する元画像記憶手段（Ｃ１）、
（Ｂ０２）前記元画像（Ｇ）を前記元画像用紙サイズよりも小さなサイズの印刷用紙に分割して印刷する際に使用する印刷パラメータの設定を行うための画面である分割印刷設定画面（１）を表示する分割印刷設定画面表示手段（Ｃ２）、
（Ｂ０３）前記複数の印刷用紙を糊代で貼り合せて形成される仕上がり用紙において各印刷用紙に印刷される分割画像が連続するように貼り合せるための貼合位置を表示するための貼合位置情報（３１〜３６）を印刷するか否かの指定をするための貼合位置情報設定画像（１１）を前記分割印刷設定画面（１）に表示する貼合位置情報設定画像表示手段（Ｃ１３Ａ）と、前記貼合位置情報設定画像（１１）への入力により定まる貼合位置情報（３１〜３６）を印刷するか否かの指定の有無を貼合位置情報指定値として記憶する貼合位置情報指定値記憶手段（Ｃ１３Ｂ）とを有する貼合位置情報指定手段（Ｃ１３）、
（Ｂ０４）前記元画像（Ｇ）の画像データと、前記貼合位置情報指定値を含む印刷データを作成する印刷データ作成手段（Ｃ２１）、
（Ｂ０５）前記印刷データを送信する印刷データ送信手段（Ｃ２２）。
【００２２】
前記構成要件（Ｂ０１）〜（Ｂ０５）を備えた第３発明の画像処理装置では、元画像記憶手段（Ｃ１）は、印刷対象となる元画像（Ｇ）の画像データおよび前記元画像（Ｇ）のサイズである元画像用紙サイズを記憶する。分割印刷設定画面表示手段（Ｃ２）は、前記元画像（Ｇ）を前記元画像用紙サイズよりも小さなサイズの印刷用紙に分割して印刷する際に使用する印刷パラメータの設定を行うための画面である分割印刷設定画面（１）を表示する。前記分割印刷設定画面（１）には、前記複数の印刷用紙を糊代で貼り合せて形成される仕上がり用紙において各印刷用紙に印刷される分割画像が連続するように貼り合せるための貼合位置を表示するための貼合位置情報（３１〜３６）を印刷するか否かの指定をするための貼合位置情報設定画像（１１）が、貼合位置情報設定画像表示手段（Ｃ１３Ａ）によって表示される。
【００２３】
そして、前記貼合位置情報設定画像（１１）への入力により定まる貼合位置情報（３１〜３６）を印刷するか否かの指定の有無が、貼合位置情報指定値として貼合位置情報指定値記憶手段（Ｃ１３Ｂ）によって記憶される。前記元画像（Ｇ）の画像データと前記貼合位置情報指定値とを含む印刷データは、印刷データ作成手段（Ｃ２１）によって作成され、印刷データ送信手段（Ｃ２２）によって印刷装置（Ｐｒ）またはプリンタサーバ等に送信される。
したがって、第３発明の画像処理装置では、ユーザが、前記貼合位置情報（３１〜３６）を印刷するか否かを、分割印刷設定画面（１）に表示された貼合位置情報設定画像（１１）への入力により指定することができる。そして、印刷することを指定した場合、貼合位置情報指定値を含む印刷データを受信した画像処理装置や印刷装置（Ｐｒ）において、前記指定に応じて貼合位置情報（３１〜３６）の印刷をする処理が実行される。
【００２４】
そして、ユーザの指定に基づいて印刷装置（Ｐｒ）によって印刷された各印刷用紙の貼合位置情報（３１〜３６）を参照することによって、ユーザが重なり合う印刷用紙を容易に判別することができると共に、印刷用紙を重ね合わせた時に貼合位置情報（３１〜３６）の位置が一致するように貼り合わせることによって、各印刷用紙に印刷される前記分割画像が連続するように貼り合せることができる。この結果、複数の分割画像印刷用紙どうしを精確に貼り合わせることができ、仕上がり用紙において元画像（Ｇ）を再現することができる。
【００２５】
（第４発明）
また、前記課題を解決するために第４発明の画像処理装置は、下記の構成要件（Ｂ０１）〜（Ｂ０３），（Ｂ０６）〜（Ｂ０８）を備えたことを特徴とする、
（Ｂ０１）印刷対象となる元画像（Ｇ）の画像データおよび前記元画像（Ｇ）のサイズである元画像用紙サイズを記憶する元画像記憶手段（Ｃ１）、
（Ｂ０２）前記元画像（Ｇ）を前記元画像用紙サイズよりも小さなサイズの印刷用紙に分割して印刷する際に使用する印刷パラメータの設定を行うための画面である分割印刷設定画面（１）を表示する分割印刷設定画面表示手段（Ｃ２）、
（Ｂ０３）前記複数の印刷用紙を糊代で貼り合せて形成される仕上がり用紙において各印刷用紙に印刷される分割画像が連続するように貼り合せるための貼合位置を表示するための貼合位置情報（３１〜３６）を印刷するか否かの指定をするための貼合位置情報設定画像（１１）を前記分割印刷設定画面（１）に表示する貼合位置情報設定画像表示手段（Ｃ１３Ａ）と、前記貼合位置情報設定画像（１１）への入力により定まる貼合位置情報（３１〜３６）を印刷するか否かの指定の有無を貼合位置情報指定値として記憶する貼合位置情報指定値記憶手段（Ｃ１３Ｂ）とを有する貼合位置情報指定手段（Ｃ１３）、
（Ｂ０６）前記元画像サイズに基づいて定まる印刷画像を記録するための印刷画像データを、前記各用紙の前記露出領域である画像記録領域毎に割り付ける印刷画像データ割り付け手段（Ｃ３５Ｂ）、
（Ｂ０７）前記貼合位置情報指定値によって貼合位置情報（３１〜３６）を印刷することが指定されている場合に、元画像（Ｇ）が分割された分割画像が印刷される印刷用紙を糊代で貼り合せて形成される仕上がり用紙において、各印刷用紙に印刷される前記分割画像が連続するように貼り合せるための貼合位置を表示するための貼合位置情報（３１〜３６）を前記各印刷用紙に割り付ける貼合位置情報割付手段（Ｃ３５Ｄ）、
（Ｂ０８）前記各印刷用紙の前記各画像記録領域毎に割り付けられた印刷画像データ及び貼合位置情報（３１〜３６）を、前記各印刷用紙に印刷するように印刷装置（Ｐｒ）の動作を制御する印刷制御手段（Ｃ３６）。
【００２６】
前記構成要件（Ｂ０１）〜（Ｂ０３），（Ｂ０６）〜（Ｂ０８）を備えた第４発明の画像処理装置では、元画像記憶手段（Ｃ１）は、印刷対象となる元画像（Ｇ）の画像データおよび前記元画像（Ｇ）のサイズである元画像用紙サイズを記憶する。分割印刷設定画面表示手段（Ｃ２）は、前記元画像（Ｇ）を前記元画像用紙サイズよりも小さなサイズの印刷用紙に分割して印刷する際に使用する印刷パラメータの設定を行うための画面である分割印刷設定画面（１）を表示する。前記分割印刷設定画面（１）には、前記複数の印刷用紙を糊代で貼り合せて形成される仕上がり用紙において各印刷用紙に印刷される分割画像が連続するように貼り合せるための貼合位置を表示するための貼合位置情報（３１〜３６）を印刷するか否かの指定をするための貼合位置情報設定画像（１１）が、貼合位置情報設定画像表示手段（Ｃ１３Ａ）によって表示される。
【００２７】
そして、前記貼合位置情報設定画像（１１）への入力により定まる貼合位置情報（３１〜３６）を印刷するか否かの指定の有無が、貼合位置情報指定値として貼合位置情報指定値記憶手段（Ｃ１３Ｂ）によって記憶される。前記元画像記憶手段（Ｃ１）に記憶された前記元画像サイズに基づいて定まる印刷画像を記録するための印刷画像データが、印刷画像データ割り付け手段（Ｃ３５Ｂ）によって、前記各用紙の前記露出領域である画像記録領域毎に割り付けられる。また、前記貼合位置情報指定値によって貼合位置情報（３１〜３６）を印刷することが指定されている場合には、元画像（Ｇ）が分割された分割画像が印刷される印刷用紙を糊代で貼り合せて形成される仕上がり用紙において、各印刷用紙に印刷される前記分割画像が連続するように貼り合せるための貼合位置を表示するための貼合位置情報（３１〜３６）が、貼合位置情報割付手段（Ｃ３５Ｄ）によって、前記各印刷用紙に割り付けられる。そして、印刷制御手段（Ｃ３６）によって、前記各印刷用紙の前記各画像記録領域毎に割り付けられた印刷画像データ及び貼合位置情報（３１〜３６）を、前記各印刷用紙に印刷するように印刷装置（Ｐｒ）の動作が制御される。
【００２８】
したがって、第４発明の画像処理装置では、ユーザが、前記貼合位置情報（３１〜３６）を印刷するか否かを、分割印刷設定画面（１）に表示された貼合位置情報設定画像（１１）への入力により指定することができる。そして、印刷することを指定した場合、各印刷用紙に貼合位置情報（３１〜３６）が割り付けられ、前記各印刷用紙の前記各画像記録領域毎に割り付けられた印刷画像データと共に印刷装置（Ｐｒ）によって印刷される。そして、ユーザの指定に基づいて印刷された各印刷用紙の貼合位置情報（３１〜３６）を参照することによって、ユーザが重なり合う印刷用紙を容易に判別することができると共に、印刷用紙を重ね合わせた時に貼合位置情報（３１〜３６）の位置が一致するように貼り合わせることによって、各印刷用紙に印刷される前記分割画像が連続するように貼り合せることができる。この結果、複数の分割画像印刷用紙どうしを精確に貼り合わせることができ、仕上がり用紙において元画像（Ｇ）を再現することができる。
【００２９】
また、前記第３発明または第４発明の画像処理装置は、下記の構成要件（Ｂ０９）を備えることも可能である、
（Ｂ０９）糊代で貼り合わせる際に、上側に重なる前記印刷用紙の表面の前記画像形成領域と糊代領域との境界に沿って印刷される表面位置情報（３４）と、下側に重なる前記印刷用紙の表面の前記画像形成領域と糊代領域との境界に沿って印刷される表面位置情報（３４）とを印刷するか否かを指定するための表面位置情報指定画像（２６）を表示する表面位置情報指定画像表示手段（Ｃ１８Ａ）と、前記表面位置情報指定画像（２６）への入力により定まる前記表面位置情報（３４）を印刷するか否かの指定の有無を表面位置情報有無指定値として記憶する表面位置情報指定値記憶手段（Ｃ１８Ｂ）とを有する表面位置情報指定手段（Ｃ１８）。
【００３０】
したがって、表面位置情報指定画像（２６）への入力により表面位置情報（３４）を印刷するか否かをユーザが指定することができる。そして、ユーザの指定に基づいて、表面位置情報（３４）が印刷された印刷用紙において、上側に重なる印刷用紙（上側用紙）の表面位置情報（３４）と、下側に重なる印刷用紙（下側用紙）の表面位置情報（３４）とが一致または連続するように貼り合わせることによって、上側用紙の画像記録領域と下側用紙の画像記録領域とが精確に連続した状態で貼り合わせることができる。
【００３１】
また、前記第３発明または第４発明の画像処理装置は、下記の構成要件（Ｂ０１０）を備えることも可能である、
（Ｂ０１０）糊代で貼り合わせる際に、上側に重なる前記印刷用紙の裏面の糊代領域に前記印刷用紙の端から所定幅離れた位置に印刷される重ね合わせ部分識別線（３２）と、下側に重なる前記印刷用紙の表面の糊代領域と前記画像記録領域との境界に沿って前記所定幅と同一幅離れた位置に印刷される前記重ね合わせ部分識別線（３２）とを印刷するか否かを指定するための識別線指定画像（２３）を表示する識別線指定画像表示手段（Ｃ１５Ａ）と、前記識別線指定画像（２３）への入力により定まる前記重ね合わせ部分識別線（３２）を印刷するか否かの指定の有無を識別線有無指定値として記憶する識別線指定値記憶手段（Ｃ１５Ｂ）とを有する識別線指定手段（Ｃ１５）。
【００３２】
したがって、識別線指定画像（２３）への入力により重ね合わせ部分識別線（３２）を印刷するか否かをユーザが指定することができる。そして、ユーザの指定に基づいて、重ね合わせ部分識別線（３２）が印刷された印刷用紙において、上側用紙の裏面の糊代領域に印刷された重ね合わせ部分識別線（３２）と、下側用紙の表面の糊代領域に印刷された重ね合わせ部分識別線（３２）とが一致するように貼り合わせた場合、上側用紙の印刷用紙の端からの幅と、下側用紙の画像記録領域との境界からの幅とが同一なので、下側用紙の画像記録領域の境界と上側用紙の印刷用紙の端とが連続する。したがって、上側用紙の印刷用紙の端まで画像記録領域がある場合、上側用紙の画像記録領域と下側用紙の画像記録領域とが精確に連続した状態で貼り合わせることができる。
【００３３】
また、前記第３発明または第４発明の画像処理装置は、下記の構成要件（Ｂ０１１）を備えることも可能である、
（Ｂ０１１）糊代で貼り合わせる際に、上側に重なる印刷用紙の裏面の糊代領域に印刷される重ね合わせ部分識別番号（３１）と、下側に重なる印刷用紙の表面の糊代領域に印刷される前記重ね合わせ部分識別番号（３１）とを印刷するか否かを指定するための識別番号指定画像（２２）を表示する識別番号指定画像表示手段（Ｃ１４Ａ）と、前記識別番号指定画像（２２）への入力により定まる前記重ね合わせ部分識別番号（３１）を印刷するか否かの指定の有無を識別番号有無指定値として記憶する識別番号指定値記憶手段（Ｃ１４Ｂ）とを有する識別番号指定手段（Ｃ１４）。
【００３４】
したがって、識別番号指定画像（２２）への入力により重ね合わせ部分識別番号（３１）を印刷するか否かをユーザが指定することができる。そして、ユーザの指定に基づいて、重ね合わせ部分識別番号（３１）が印刷された印刷用紙において、前記重ね合わせ部分識別番号（３１）を参照することによって、各印刷用紙のどの糊代領域が、他のどの印刷用紙のどの糊代領域に貼り合わされるのかを正確且つ容易に認識することができる。
【００３５】
また、前記第３発明または第４発明の画像処理装置は、下記の構成要件（Ｂ０１２）を備えることも可能である、
（Ｂ０１２）前記画像記録領域が印刷用紙の端まで設定不能の場合に、前記画像記録領域の端と印刷用紙の端との間の縁領域を印刷用紙から裁断するための位置を表示する裁断位置情報（３３）を印刷するか否かを指定するための裁断位置情報指定画像（２４）を表示する裁断位置情報指定画像表示手段（Ｃ１６Ａ）と、前記裁断位置情報指定画像（２４）への入力により定まる前記裁断位置情報（３３）を印刷するか否かの指定の有無を裁断位置情報有無指定値として記憶する裁断位置情報指定値記憶手段（Ｃ１６Ｂ）とを有する裁断位置情報指定手段（Ｃ１６）。
【００３６】
したがって、裁断位置情報指定画像（２４）への入力により裁断位置情報（３３）を印刷するか否かをユーザが指定することができる。そして、ユーザの指定に基づいて裁断位置情報（３３）が印刷された印刷用紙において、裁断位置情報（３３）に基づいて縁領域を裁断することによって、印刷用紙を重ね合わせた時に縁領域によって分割画像が不連続になることを防止でき、前記画像記録領域が印刷用紙の端まで設定不能の場合でも画像記録領域が連続するように正確に貼り合わせることができる。
【００３７】
また、前記第３発明または第４発明の画像処理装置は、下記の構成要件（Ｂ０１３）を備えることも可能である、
（Ｂ０１３）前記各印刷用紙の前記仕上がり用紙に対する配置位置を示すレイアウト位置情報（３６）を印刷するか否かを指定するためのレイアウト位置情報指定画像（２５）を表示するレイアウト位置情報指定画像表示手段（Ｃ１７Ａ）と、前記レイアウト位置情報指定画像（２５）への入力により定まる前記レイアウト位置情報（３６）を印刷するか否かの指定の有無をレイアウト位置情報有無指定値として記憶するレイアウト位置情報指定値記憶手段（Ｃ１７Ｂ）とを有するレイアウト位置情報指定手段（Ｃ１７）。
【００３８】
したがって、レイアウト位置情報指定画像（２５）への入力によりレイアウト位置情報（３６）を印刷するか否かをユーザが指定することができる。そして、ユーザの指定に基づいてレイアウト位置情報（３６）が印刷された印刷用紙において、前記レイアウト位置情報（３６）を参照することによって、印刷用紙が前記仕上がり用紙に対してどの位置に配置されるのかを容易に認識することができ、貼り合わせ作業を効率的に短時間で行うことができる。
【００３９】
【発明の実施の形態】
（実施の形態）
次に図面を参照しながら、本発明の実施の形態を説明するが、本発明は以下の実施の形態に限定されるものではない。
（実施の形態１）
図１は本発明の印刷処理システムの実施の形態１の説明図である。
図１において、印刷処理システムＳのプリンタサーバ（画像処理装置）ＰＳには、ケーブルを介してプリンタ（印刷装置、画像処理装置）Ｐｒが接続されている。また、前記プリンタサーバＰＳはローカルネットワークＬＮに接続されており、前記ローカルネットワークＬＮには複数のクライアントパソコン（画像処理装置）ＰＣ、ワークステーションＷＳ、データベースサーバＤＢＳ等が接続されている。
【００４０】
前記クライアントパソコンＰＣ、データベースサーバＤＢＳ等は、コンピュータ本体Ｈ１、ディスプレイＨ２、キーボード（入力装置）Ｈ３、マウス（入力装置）Ｈ４、図示しないＨＤドライブ（ハードディスクドライブ）、ＣＤドライブ（コンパクトディスクドライブ）、およびＦＤドライブ（フレキシブルディスクドライブ）等により構成されている。
また、前記プリンタサーバＰＳも、前記クライアントパソコンＰＣ等と同様に、コンピュータ本体Ｄ１、ディスプレイＤ２、キーボードＤ３やマウスＤ４の入力装置、ハードディスクドライブ（図示せず）等により構成されている。
【００４１】
（クライアントパソコンＰＣの機能）
図２は前記図１に示す印刷処理システムのクライアントパソコンの機能をブロック図（機能ブロック図）で示した図である。
図２において、クライアントパソコンＰＣのコンピュータ本体Ｈ１は、外部との信号の入出力および入出力信号レベルの調節等を行うＩ／Ｏ（入出力インターフェース）、必要な処理を行うためのプログラムおよびデータ等が記憶されたＲＯＭ（リードオンリーメモリ）、必要なデータを一時的に記憶するためのＲＡＭ（ランダムアクセスメモリ）、ハードディスクやＲＯＭ等に記憶されたプログラムに応じた処理を行うＣＰＵ（中央演算処理装置）、ならびにクロック発振器等を有している。
前記構成のクライアントパソコンＰＣは、前記ハードディスクやＲＯＭ等に記憶されたプログラムを実行することにより種々の機能を実現することができる。
【００４２】
前記クライアントパソコンＰＣの前記ハードディスクドライブには、ワープロソフトや画像処理ソフト等のアプリケーションプログラムＡＰと、分割印刷時の印刷用紙のサイズや分割印刷の指定等の印刷パラメータを指定するための印刷パラメータ設定プログラム（印刷パラメータ設定手段、画像処理プログラム）Ｐ１と、前記印刷パラメータ設定プログラムＰ１で設定された印刷パラメータと元画像データとを含む送信用印刷データを作成しプリンタサーバＰＳに送信するための印刷データ作成プログラム（画像処理プログラム）Ｐ２とが記憶されている。前記印刷パラメータ設定プログラムＰ１及び印刷データ作成プログラムＰ２は、次の各機能実現手段（プログラムモジュール）を有している。
【００４３】
図３は本発明の画像処理プログラムとしての印刷パラメータ設定プログラムの機能実現手段によってクライアントパソコン又はプリンタサーバのディスプレイに表示される分割印刷設定画面（片面印刷指定時）の説明図である。
図４はクライアントパソコンに組み込まれているアプリケーションプログラムの印刷開始入力画面の説明図である。
（印刷パラメータ設定プログラムＰ１の機能）
Ｃ１：元画像記憶手段
元画像記憶手段Ｃ１は、前記アプリケーションプログラムＡＰで作成され印刷指示された印刷対象となる元画像の画像データおよび前記元画像のサイズである元画像用紙サイズを記憶する。
Ｃ２：分割印刷設定画面表示手段
分割印刷設定画面表示手段Ｃ２は、前記元画像Ｇを前記元画像用紙サイズよりも小さなサイズの印刷用紙に分割して印刷する際に使用する印刷パラメータの設定を行うための画面である分割印刷設定画面１（図３参照）を表示する。前記分割印刷設定画面１は、前記アプリケーションプログラムＡＰで印刷開始を選択した際に表示される印刷開始入力画面（印刷範囲や印刷部数、片面・両面印刷の指定、綴じ位置の指定等を行う画面、図４参照）において、「分割印刷の設定」を選択した場合に表示される。前記分割印刷設定画面１には、元画像Ｇや、前記元画像用紙サイズ（画像サイズ）を表示する元画像サイズ表示画像２ａ、元画像サイズ枠線表示画像２ｂ、後述の印刷用紙設定画像３等が表示される。
【００４４】
Ｃ３：印刷用紙設定手段
印刷用紙設定手段Ｃ３は、使用可能用紙サイズ記憶手段Ｃ３Ａと、印刷用紙設定画像表示手段Ｃ３Ｂと、印刷用紙設定値記憶手段Ｃ３Ｃと、印刷用紙自動設定手段Ｃ３Ｄと、印刷用紙自動設定値記憶手段Ｃ３Ｅとを有し、分割印刷時に使用する印刷用紙の用紙サイズや使用する印刷用紙の枚数を設定し、記憶する。
Ｃ３Ａ：使用可能用紙サイズ記憶手段
使用可能用紙サイズ記憶手段Ｃ３Ａは、前記プリンタＰｒで使用可能な印刷用紙のサイズを記憶する。前記プリンタＰｒで使用可能な印刷用紙のサイズは、プリンタサーバＰＳから使用可能用紙サイズの情報をローカルネットワークＬＮ経由で入手して記憶している。なお、使用可能な印刷用紙のサイズをユーザが入力装置（キーボードＨ３又はマウスＨ４）で入力・設定した値を記憶するよう構成することも可能である。
【００４５】
Ｃ３Ｂ：印刷用紙設定画像表示手段
印刷用紙設定画像表示手段Ｃ３Ｂは、前記印刷用紙の枚数およびサイズを設定するための印刷用紙設定画像３を前記分割印刷設定画面１に表示する。前記印刷用紙設定画像３は、印刷用紙サイズ設定用の印刷用紙サイズ設定画像３ａと、印刷用紙使用枚数（分割数）設定用の印刷用紙使用枚数設定画像３ｂとを有している。そして、前記印刷用紙サイズ設定画像３ａには、設定可能な印刷用紙サイズとして前記使用可能用紙サイズ記憶手段Ｃ３Ａで記憶された使用可能用紙サイズが表示されており、マウスＨ４等の操作により分割印刷設定画面１上を移動可能なポインタで印刷用紙サイズ設定画像３ａのいずれかの用紙サイズを選択することによって印刷用紙サイズを変更・設定可能に構成されている。前記印刷用紙使用枚数設定画像３ｂにおいて、ユーザはキーボードＨ３によって印刷用紙の枚数（分割数）を直接入力するよう構成されている。なお、前記印刷用紙サイズ設定画像３ａ及び印刷用紙使用枚数設定画像３ｂは、スピンコントロールボタン、ラジオボタン等により用紙サイズや分割数を選択して入力するよう構成することも可能である。また、実施の形態１では、プリンタＰｒにはＡ４，Ｂ４，Ａ３の用紙がセットされており、使用可能な用紙サイズとしてＡ４，Ｂ４，Ａ３が設定されている。
【００４６】
Ｃ３Ｃ：印刷用紙設定値記憶手段
印刷用紙設定値記憶手段Ｃ３Ｃは、ユーザの入力装置（キーボードＨ３、マウスＨ４）による前記印刷用紙設定画像３の印刷用紙サイズ設定画像３ａへの入力により定まる印刷用紙のサイズを使用印刷用紙設定サイズ（使用印刷用紙設定サイズ設定値）として記憶し、前記印刷用紙使用枚数設定画像３ｂへの入力により定まる印刷用紙の枚数（分割数）を印刷用紙使用枚数設定値として記憶する。
Ｃ３Ｄ：印刷用紙自動設定手段
印刷用紙自動設定手段Ｃ３Ｄは、前記元画像サイズよりも小さなサイズの印刷用紙に分割して印刷する際に、前記使用可能用紙サイズおよび前記元画像サイズに基づいて、使用される印刷用紙のサイズおよび枚数である前記使用印刷用紙設定サイズおよび印刷用紙使用枚数設定値を自動的に設定する。実施の形態１では、分割印刷設定画面１を表示する前に、印刷用紙サイズ及び枚数の自動設定を行うか否かをユーザに選択させる自動設定選択画面（図示せず）が表示される。そして、自動設定を行うようユーザが選択した場合に、前記印刷用紙自動設定手段Ｃ３Ｄによって、印刷用紙サイズ及び枚数の自動設定が行われる。なお、前記自動設定を行わない場合、前記印刷用紙自動設定手段Ｃ３Ｄは省略することができる。また、必ず自動設定を行う場合、前記自動設定選択画面の表示やユーザの選択は省略することができる。
【００４７】
Ｃ３Ｅ：印刷用紙自動設定値記憶手段
印刷用紙自動設定値記憶手段Ｃ３Ｅは、印刷用紙自動設定手段Ｃ３Ｄによって、前記自動設定された使用印刷用紙設定サイズおよび印刷用紙使用枚数設定値を記憶する。
Ｃ４：糊代設定手段
糊代設定手段Ｃ４は、糊代設定画像表示手段Ｃ４Ａと、糊代幅設定値記憶手段Ｃ４Ｂと、糊代幅自動設定手段Ｃ４Ｃと、糊代幅自動設定値記憶手段Ｃ４Ｄとを有し、印刷用紙の糊代幅を設定し、記憶する。
【００４８】
Ｃ４Ａ：糊代設定画像表示手段
糊代設定画像表示手段Ｃ４Ａは、前記複数の印刷用紙を糊付けする糊代の幅（糊代サイズ）を設定するための糊代設定画像４（図３参照）を前記分割印刷設定画面１に表示する。実施の形態１の糊代設定画像４は、元画像の上下方向の糊代幅を設定するための上下方向糊代幅設定画像４ａと、左右方向の糊代幅を設定するための左右方向糊代幅設定画像４ｂと、余白が最小になるように糊代幅を調節するための余白最小指定画像４ｃとを有している。なお、実施の形態１では、上方向と下方向の糊代幅が同じ値になるよう構成され、左方向と右方向の糊代幅が同値になるよう構成されているが、上方向、下方向、左方向、右方向の糊代幅を別個独立に設定できるよう構成することも可能である。
【００４９】
Ｃ４Ｂ：糊代幅設定値記憶手段
糊代幅設定値記憶手段Ｃ４Ｂは、前記糊代設定画像４への入力により定まる複数の各印刷用紙の糊代の幅を糊代幅設定値として記憶する。
Ｃ４Ｃ：糊代幅自動設定手段
糊代幅自動設定手段Ｃ４Ｃは、前記使用印刷用紙設定サイズおよび印刷用紙使用枚数設定値と前記元画像サイズとに基づいて、前記複数の印刷用紙の糊代幅を自動的に設定する。実施の形態１では、元画像サイズよりも後述の仕上がり用紙のサイズ（仕上がり用紙サイズ、仕上がりサイズ）が大きな場合に、前記余白最小指定画像４ｃが選択された時（余白最小指定のチェックボックスがチェックされた時）に、余白が最小になるように糊代幅を自動調節する。
Ｃ４Ｄ：糊代幅自動設定値記憶手段
糊代幅自動設定値記憶手段Ｃ４Ｄは、前記糊代幅自動設定手段Ｃ４Ｃで自動設定された糊代幅の設定値を記憶する。
【００５０】
Ｃ５：糊代重合用紙表示手段
糊代重合用紙表示手段Ｃ５は、前記複数の印刷用紙の前記設定された糊代部分が重なった状態で形成される糊代重合用紙（仕上がり用紙）の画像である仕上がり用紙画像６を前記分割印刷設定画面１に表示する。なお、実施の形態１では、仕上がり用紙画像６として、糊代の部分にパターン処理が施され、下に重なる印刷用紙の端が点線で表示された仕上がり用紙画像６が表示されている。そして、貼り合わされる際に上に重なる用紙から順に付された重なり順番号を表示する画像である重なり順番号表示画像６ａが表示されている。
Ｃ６：用紙・元画像重合画像表示手段
用紙・元画像重合画像表示手段Ｃ６は、前記仕上がり用紙画像６に前記元画像Ｇを重ねた画像である用紙元画像重合画像７を前記分割印刷設定画面１に表示する。
【００５１】
Ｃ７：倍率設定手段
倍率設定手段Ｃ７は、倍率設定画像表示手段Ｃ７Ａと、倍率設定値記憶手段Ｃ７Ｂと、倍率自動設定手段Ｃ７Ｃとを有しており、分割印刷設定画面１に表示される画像の倍率を設定し記憶する。
Ｃ７Ａ：倍率設定画像表示手段
倍率設定画像表示手段Ｃ７Ａは、前記元画像のサイズに倍率ａ（ａ＞０）を乗算した倍率乗算画像（後述の図１１の倍率乗算画像Ｇ′参照）を前記糊代重合用紙（仕上がり用紙）上に形成する際の前記倍率ａを設定するための倍率設定画像８を前記分割印刷設定画面１に表示する。なお、実施の形態１１では、倍率設定画像８は、倍率ａを数値で入力するよう構成されているが、登録された特定の倍率（例えば、Ａ４→Ａ３（１４１％）等）を選択するよう構成することも可能である。
【００５２】
Ｃ７Ｂ：倍率設定値記憶手段
倍率設定値記憶手段Ｃ７Ｂは、前記倍率設定画像８への入力により定まる前記倍率ａを倍率設定値として記憶する。
Ｃ７Ｃ：倍率自動設定手段
倍率自動設定手段Ｃ７Ｃは、倍率自動設定選択画像表示手段Ｃ７Ｃ１と、倍率自動設定値記憶手段Ｃ７Ｃ２とを有し、倍率自動設定が選択された際に、仕上がり用紙に全画像が収まる最大の倍率ａ（即ち、余白が最小になる倍率ａ）を自動的に演算し設定する。
Ｃ７Ｃ１：倍率自動設定選択画像表示手段
倍率自動設定選択画像表示手段Ｃ７Ｃ１は、前記元画像Ｇのサイズに倍率ａを乗算した倍率乗算画像（図１１の倍率乗算画像Ｇ′参照）を前記糊代重合用紙（仕上がり用紙）上に形成する際の前記倍率ａを自動設定することを選択するための倍率自動設定選択画像８ａを表示する。
【００５３】
Ｃ７Ｃ２：倍率自動設定値記憶手段
倍率自動設定値記憶手段Ｃ７Ｃ２は、前記倍率自動設定選択画像８ａが選択された時に（即ち、倍率自動設定選択画像８ａのチェックボックスがチェックされた場合）、元画像Ｇの用紙サイズの縦長さをＧｔ、横長さをＧｙとし、仕上がり用紙サイズの縦長さをＳｔ、横長さをＳｙとした場合に、（Ｓｔ／Ｇｔ）＞（Ｓｙ／Ｇｙ）である時には前記倍率ａ＝（Ｓｙ／Ｇｙ）に設定し、（Ｓｙ／Ｇｙ）＞（Ｓｔ／Ｇｔ）である時には前記倍率ａ＝（Ｓｔ／Ｇｔ）に設定して記憶する。
【００５４】
Ｃ８：用紙倍率乗算画像重合画像表示手段
用紙倍率乗算画像重合画像表示手段Ｃ８は、前記倍率設定手段Ｃ７で設定された倍率ａを前記元画像サイズに乗算した倍率乗算画像（後述の図１１の倍率乗算画像Ｇ′参照）を前記仕上がり用紙画像６に重ねた画像である用紙倍率乗算画像重合画像（後述の図１１の用紙倍率乗算画像重合画像７′参照）を前記分割印刷設定画面１に表示する。
【００５５】
Ｃ９：綴じ位置指定記憶手段
綴じ位置指定記憶手段Ｃ９は、分割印刷した画像印刷用紙を糊付けした後の複数の仕上がり用紙を綴じる位置が仕上がり用紙の左側で綴じる左綴じかまたは仕上がり用紙の上側で綴じる上綴じかを指定する綴じ位置指定データを記憶する。実施の形態１では、分割印刷設定画面１で綴じ位置を設定せず、アプリケーションプログラムＡＰの印刷開始入力画面（図４参照）において設定するよう構成されている。なお、分割印刷設定画面１に綴じ位置を選択して設定するための綴じ位置設定画像を表示して、印刷パラメータ設定プログラムＰ１で綴じ位置を指定できるよう構成することも可能である。
【００５６】
Ｃ１０：重ね合わせ順序設定手段
重ね合わせ順序設定手段Ｃ１０は、重ね合わせ順序設定画像表示手段Ｃ１０Ａと、重ね合わせ順序記憶手段Ｃ１０Ｂと、重ね合わせ順序初期設定記憶手段Ｃ１０Ｃと、重ね合わせ順序自動設定手段Ｃ１０Ｄとを有し、前記仕上がり用紙を形成する複数の印刷用紙を糊付けする際の前記複数の印刷用紙を重ね合わせる順序を設定する。
Ｃ１０Ａ：重ね合わせ順序設定画像表示手段
重ね合わせ順序設定画像表示手段Ｃ１０Ａは、前記仕上がり用紙を形成する複数の印刷用紙を糊付けする際の前記複数の印刷用紙を重ね合わせる順序を設定するための重合わせ順序設定画像９を前記分割印刷設定画面１に表示する。なお、実施の形態１では、重ね合わせ順序設定画像表示手段Ｃ１０Ａは、前記重ね合わせ順序設定画像９を分割印刷設定画面１に表示すると共に、分割印刷設定画面１上で重ね合わせ順序設定画像９が選択された際に、分割印刷設定画面１とは異なる重ね合わせ順序選択入力画面（後述の図２１参照）を表示する。
【００５７】
Ｃ１０Ｂ：重ね合わせ順序記憶手段
重ね合わせ順序記憶手段Ｃ１０Ｂは、前記重合わせ順序設定画像への入力により表示される重ね合わせ順序選択入力画面での選択によって定まる前記重合わせ順序（重ね合わせ順序設定値）を記憶する。なお、実施の形態１では、重ね合わせ順序は重ね合わせ順序選択入力画面における選択によって設定されるが、スピンコントロールボタン又はラジオボタン等を含む画像により構成し、この画像を分割印刷設定画面１に表示して、分割印刷設定画面１上で重ね合わせ順序を選択するよう構成することも可能である。
【００５８】
Ｃ１０Ｃ：重ね合わせ順序初期設定記憶手段
重ね合わせ順序初期設定記憶手段Ｃ１０Ｃは、前記綴じ位置指定記憶手段Ｃ９で記憶された綴じ位置指定データに応じて、予め設定した前記仕上がり用紙を形成する複数の印刷用紙の前記重ね合わせ順序である重ね合わせ順序初期設定を記憶する。なお、実施の形態１では、重ね合わせ順序初期設定値として、「左上縦優先（後述の図２１参照）」が設定されている。
Ｃ１０Ｄ：重ね合わせ順序自動設定手段
重ね合わせ順序自動設定手段Ｃ１０Ｄは、前記仕上がり用紙を形成する複数の印刷用紙を糊付けする際の前記複数の印刷用紙を重ね合わせる順序である重ね合わせ順序を、前記綴じ位置指定データに基づいて自動で設定する。実施の形態１では、ユーザにより重ね合わせ順序が設定されなかった場合、上下綴じであっても左右綴じであっても前記重ね合わせ順序初期設定記憶手段Ｃ１０Ｃが記憶する重ね合わせ順序初期設定値に自動設定される。これに替えて、例えば、上下綴じの場合「左上縦優先（後述の図２１参照）」に自動設定し、左右綴じの場合「左上横優先」に自動設定するよう構成することも可能である。
【００５９】
Ｃ１１：糊代位置設定手段
糊代位置設定手段Ｃ１１は、糊代位置自動設定手段Ｃ１１Ａと、糊代位置記憶手段Ｃ１１Ｂとを有し、各印刷用紙の糊代位置を設定し記憶する。
Ｃ１１Ａ：糊代位置自動設定手段
糊代位置自動設定手段Ｃ１１Ａは、前記重ね合わせ順序記憶手段Ｃ１０Ｂに記憶された重ね合わせ順序に基づいて前記各印刷用紙の糊代位置を自動的に設定する。即ち、各印刷用紙に対し、重ね合わせ順序が上に重なる場合は裏面に糊代位置を設定し、重ね合わせ順序が下になる場合は表面に糊代位置を自動的に設定する。
Ｃ１１Ｂ：糊代位置記憶手段
糊代位置記憶手段Ｃ１１Ｂは、前記糊代位置自動設定処理により設定された糊代位置を印刷用紙毎に記憶する。
【００６０】
Ｃ１２：仕上がり用紙サイズ演算手段
仕上がり用紙サイズ演算手段Ｃ１２は、前記使用印刷用紙設定サイズ及び印刷用紙使用枚数設定値（分割数）、上下方向の糊代幅、左右方向の糊代幅の設定値に基づいて仕上がり用紙の用紙サイズ（仕上がり用紙サイズ）を演算して記憶する。そして、算出された仕上がり用紙サイズは、仕上がり用紙サイズ表示画像１０として分割印刷設定画面１に表示する。
Ｃ１３：貼合位置情報指定手段
貼合位置情報指定手段Ｃ１３は、貼合位置情報設定画像表示手段Ｃ１３Ａと、貼合位置情報指定値記憶手段１３Ｂとを有し、前記複数の印刷用紙を糊代で貼り合せて形成される仕上がり用紙において各印刷用紙に印刷される分割画像が連続するように貼り合せるための貼合位置を表示するための貼合位置情報を印刷するか否かの指定をする。
【００６１】
図５は、貼合位置情報設定画面の説明図である。
Ｃ１３Ａ：貼合位置情報設定画像表示手段
貼合位置情報設定画像表示手段１３Ａは、前記貼合位置情報を印刷するか否かの指定をするための貼合位置情報設定画像１１を前記分割印刷設定画面１に表示する。実施の形態１では、貼合位置情報設定画像表示手段１３Ａは、前記貼合位置情報設定画像１１を前記分割印刷設定画面１に表示すると共に、分割印刷設定画面１上で貼合位置情報設定画像１１が選択された際に、分割印刷設定画面１とは異なる貼合位置情報設定画面２１（図５参照）を表示する。なお、前記貼合位置情報設定画面２１を貼合位置情報設定画像として分割印刷設定画面１に表示するよう構成することも可能である。
Ｃ１３Ｂ：貼合位置情報指定値記憶手段
貼合位置情報指定値記憶手段１３Ｂは、前記貼合位置情報設定画像１１が選択された際に表示される貼合位置情報設定画面２１への入力により定まる貼合位置情報（重ね合わせ部分識別番号３１や重ね合わせ部分識別線３２等）を印刷するか否かの指定の有無を貼合位置情報指定値（印刷パラメータ、後述の識別番号有無指定値や識別線有無指定値等）として記憶する。
【００６２】
Ｃ１４：識別番号指定手段
識別番号指定手段Ｃ１４は、識別番号指定画像表示手段Ｃ１４Ａと、識別番号指定値記憶手段Ｃ１４Ｂとを有し、糊代で貼り合わせる際に、上側に重なる印刷用紙の裏面の糊代領域に印刷される重ね合わせ部分識別番号（後述の図２９の重ね合わせ部分識別番号表示３１参照）と、下側に重なる印刷用紙の表面の糊代領域に印刷される前記重ね合わせ部分識別番号とを印刷するか否かを指定する。
Ｃ１４Ａ：識別番号指定画像表示手段
識別番号指定画像表示手段Ｃ１４Ａは、前記各重ね合わせ部分識別番号を印刷するか否かを指定するための識別番号指定画像２２（図５参照）を表示する。なお、実施の形態１の識別番号指定画像表示手段Ｃ１４Ａは、前記貼合位置情報設定画面２１に識別番号指定画像２２を表示しているが、識別番号指定画像２２を分割印刷設定画面１や印刷開始入力画面（図４参照）に表示するよう構成することも可能である。
【００６３】
Ｃ１４Ｂ：識別番号指定値記憶手段
識別番号指定値記憶手段Ｃ１４Ｂは、前記識別番号指定画像２２への入力により定まる前記重ね合わせ部分識別番号を印刷するか否かの指定の有無を識別番号有無指定値として記憶する。即ち、図５において、識別番号指定画像２２への入力により「付ける」が選択された場合、重ね合わせ部分識別番号を印刷するよう指定し（指定有り）、「付けない」が選択された場合、重ね合わせ部分識別番号を印刷しないよう指定する（指定無し）。なお、識別番号有無指定値を貼合位置情報指定値（貼合位置情報指定値、印刷パラメータ）として貼合位置情報指定値記憶手段１３Ｂのみで記憶する場合、識別番号指定値記憶手段Ｃ１４Ｂを省略することができる。
Ｃ１５：識別線指定手段
識別線指定手段Ｃ１５は、識別線指定画像表示手段１５Ａと、識別線指定値記憶手段Ｃ１５Ｂとを有し、糊代で貼り合わせる際に、上側に重なる前記印刷用紙の裏面の糊代領域に前記印刷用紙の端から所定幅離れた位置に印刷される重ね合わせ部分識別線（後述の図２９の重ね合わせ部分識別線表示３２参照）と、下側に重なる前記印刷用紙の表面の糊代領域と前記画像記録領域との境界に沿って前記所定幅と同一幅離れた位置に印刷される前記重ね合わせ部分識別線とを印刷するか否かを指定する。
【００６４】
Ｃ１５Ａ：識別線指定画像表示手段
識別線指定画像表示手段Ｃ１５Ａは、前記各重ね合わせ部分識別線を印刷するか否かを指定するための識別線指定画像２３を表示する。なお、実施の形態１の識別線指定画像表示手段Ｃ１５Ａは、前記貼合位置情報設定画面２１に識別線指定画像２３を表示しているが、識別線指定画像２３を分割印刷設定画面１等に表示するよう構成することも可能である。
Ｃ１５Ｂ：識別線指定値記憶手段
識別線指定値記憶手段Ｃ１５Ｂは、前記識別線指定画像２２への入力により定まる前記重ね合わせ部分識別線を印刷するか否かの指定の有無を識別線有無指定値（貼合位置情報指定値、印刷パラメータ）として記憶する。なお、識別線有無指定値を貼合位置情報指定値として貼合位置情報指定値記憶手段１３Ｂのみで記憶する場合、識別線指定値記憶手段Ｃ１５Ｂを省略することができる。
【００６５】
Ｃ１６：裁断位置情報指定手段
裁断位置情報指定手段Ｃ１６は、裁断位置情報指定画像表示手段Ｃ１６Ａと、裁断位置情報指定値記憶手段Ｃ１６Ｂとを有し、前記画像記録領域が印刷用紙の端まで設定不能の場合に、前記画像記録領域の端と印刷用紙の端との間の縁領域を印刷用紙から裁断するための位置を表示する裁断位置情報を印刷するか否かを指定する。
Ｃ１６Ａ：裁断位置情報指定画像表示手段
裁断位置情報指定画像表示手段Ｃ１６Ａは、前記裁断位置情報（後述の図３５の裁断線３３参照）を印刷するか否かを指定するための裁断位置情報指定画像２４を表示する。なお、実施の形態１の裁断位置情報指定画像表示手段Ｃ１６Ａは、前記貼合位置情報設定画面２１に裁断位置情報指定画像２４を表示しているが、裁断位置情報指定画像２４を分割印刷設定画面１等に表示するよう構成することも可能である。
【００６６】
Ｃ１６Ｂ：裁断位置情報指定値記憶手段
裁断位置情報指定値記憶手段Ｃ１６Ｂは、前記裁断位置情報指定画像２４への入力により定まる前記裁断位置情報を印刷するか否かの指定の有無を裁断位置情報有無指定値として記憶する。なお、裁断位置情報有無指定値を貼合位置情報指定値（貼合位置情報指定値、印刷パラメータ）として貼合位置情報指定値記憶手段１３Ｂのみで記憶する場合、裁断位置情報指定値記憶手段Ｃ１６Ｂを省略することができる。
Ｃ１７：レイアウト位置情報指定手段
レイアウト位置情報指定手段Ｃ１７は、レイアウト位置情報指定画像表示手段Ｃ１７Ａと、レイアウト位置情報指定値記憶手段Ｃ１７Ｂとを有し、前記各印刷用紙の前記仕上がり用紙に対する配置位置を示すレイアウト位置情報（図４０のレイアウト位置表示３６参照）を印刷するか否かを指定する。
【００６７】
Ｃ１７Ａ：レイアウト位置情報指定画像表示手段
レイアウト位置情報指定画像表示手段Ｃ１７Ａは、前記レイアウト位置情報を印刷するか否かを指定するためのレイアウト位置情報指定画像２５を表示する。なお、実施の形態１のレイアウト位置情報指定画像表示手段Ｃ１７Ａは、前記貼合位置情報設定画面２１にレイアウト位置情報指定画像２５を表示しているが、レイアウト位置情報指定画像２５を分割印刷設定画面１等に表示するよう構成することも可能である。
Ｃ１７Ｂ：レイアウト位置情報指定値記憶手段
レイアウト位置情報指定値記憶手段Ｃ１７Ｂは、前記レイアウト位置情報指定画像２５への入力により定まる前記レイアウト位置情報を印刷するか否かの指定の有無をレイアウト位置情報有無指定値（貼合位置情報指定値、印刷パラメータ）として記憶する。なお、レイアウト位置情報有無指定値を貼合位置情報指定値として貼合位置情報指定値記憶手段１３Ｂのみで記憶する場合、レイアウト位置情報指定値記憶手段Ｃ１７Ｂを省略することができる。
【００６８】
Ｃ１８：表面位置情報指定手段
表面位置情報指定手段Ｃ１８は、表面位置情報指定画像表示手段Ｃ１８Ａと、表面位置情報指定値記憶手段Ｃ１８Ｂとを有し、糊代で貼り合わせる際に、上側に重なる前記印刷用紙の表面の前記画像形成領域と糊代領域との境界に沿って印刷される表面位置情報（後述の図３８の表面側重ね合わせ識別マーク３４参照）と、下側に重なる前記印刷用紙の表面の前記画像形成領域と糊代領域との境界に沿って印刷される表面位置情報とを印刷するか否かを指定する。
Ｃ１８Ａ：表面位置情報指定画像表示手段
表面位置情報指定画像表示手段Ｃ１８Ａは、前記各表面位置情報を印刷するか否かを指定するための表面位置情報指定画像２６を表示する。なお、実施の形態１の表面位置情報指定画像表示手段Ｃ１８Ａは、前記貼合位置情報設定画面２１に表面位置情報指定画像２６を表示しているが、表面位置情報指定画像２６を分割印刷設定画面１等に表示するよう構成することも可能である。
【００６９】
Ｃ１８Ｂ：表面位置情報指定値記憶手段
表面位置情報指定値記憶手段Ｃ１８Ｂは、前記表面位置情報指定画像２６への入力により定まる前記表面位置情報を印刷するか否かの指定の有無を表面位置情報有無指定値（貼合位置情報指定値、印刷パラメータ）として記憶する。なお、表面位置情報有無指定値を貼合位置情報指定値として貼合位置情報指定値記憶手段１３Ｂのみで記憶する場合、表面位置情報指定値記憶手段Ｃ１８Ｂを省略することができる。
【００７０】
（印刷データ作成プログラムＰ２の機能）
Ｃ２１：印刷データ作成手段
印刷データ作成手段Ｃ２１は、前記元画像記憶手段Ｃ１で記憶された元画像の画像データと、元画像を分割印刷することを指定する分割印刷指定データと、前記倍率設定値記憶手段Ｃ７Ｂ及び倍率自動設定値記憶手段Ｃ７Ｃ２のいずれかで記憶された倍率ａの設定値と、印刷用紙設定値記憶手段Ｃ３Ｃ及び印刷用紙自動設定値記憶手段Ｃ３Ｅのいずれかに記憶された使用印刷用紙サイズ設定値および使用印刷用紙枚数設定値と、前記重ね合わせ順序記憶手段Ｃ１０Ｂで記憶された重ね合わせ順序設定値と、前記糊代幅設定値記憶手段Ｃ４Ｂ及び糊代幅自動設定値記憶手段Ｃ４Ｄのいずれかに記憶された糊代幅設定値と、貼合位置情報指定値記憶手段１３Ｂ（または識別番号指定値記憶手段Ｃ１４Ｂ等）に記憶された貼合位置情報指定値とを含む印刷データを作成する。また、実施の形態１では、前記印刷データ作成手段Ｃ２１は、両面印刷を指定する両面印刷指定データと、綴じ位置指定記憶手段Ｃ９によって記憶された綴じ位置指定データを含む前記印刷データを作成する。なお、実施の形態１では、前記両面印刷の指定はアプリケーションプログラムＡＰの印刷開始入力画面（図４参照）で指定されるが、分割印刷設定画面１で設定可能に構成することも可能である。
【００７１】
Ｃ２２：印刷データ送信手段
印刷データ送信手段Ｃ２２は、前記印刷データ作成手段Ｃ２１で作成した印刷データをプリンタサーバＰＳに送信する。
Ｃ２３：裏面記録時設定値自動設定手段
裏面記録時設定値自動設定手段Ｃ２３は、両面印刷を指定された場合で且つ分割用紙の裏面への画像記録時の印刷対象となる元画像の画像データは有るが、元画像を分割印刷することを指定する分割印刷指定データ、分割印刷する際に必要な各設定値である前記印刷用紙のサイズおよび枚数の設定値である使用印刷用紙サイズ設定値および使用印刷用紙枚数設定値、各印刷用紙の重ね合わせ順序を設定した重ね合わせ順序設定値、または各印刷用紙の糊代幅を設定した糊代幅設定値のいずれかが未設定の場合には、前記分割用紙の表面への画像記録時の各設定値に基づいて、裏面への画像記録時の各設定値を自動的に設定する。なお、表面の元画像の用紙サイズと裏面の元画像の用紙サイズとが同一の場合、裏面の前記元画像を印刷した時の印刷画像サイズの前記元画像サイズに対する倍率ａが未設定の場合、表面の倍率ａを自動設定させるように裏面記録時設定値自動設定手段Ｃ２３を構成することも可能である。
【００７２】
なお、実施の形態１では、ワークステーションＷＳ、データベースサーバＤＢＳ等は、前記クライアントＰＣと異なり機能実現手段Ｃ１〜Ｃ２３等を有していない。しかしながら、前記ワークステーションＷＳ、データベースサーバＤＢＳ等が各機能実現手段Ｃ１〜Ｃ２３を備えるよう構成可能なことは言うまでもない。
【００７３】
（プリンタサーバＰＳの機能）
図６は前記図１に示す印刷処理システムのプリンタサーバ及びプリンタの機能をブロック図（機能ブロック図）で示した図である。
プリンタサーバＰＳのコンピュータ本体Ｄ１（図１参照）は、外部との信号の入出力および入出力信号レベルの調節等を行うＩ／Ｏ（入出力インターフェース）、必要な処理を行うためのプログラムおよびデータ等が記憶されたＲＯＭ（リードオンリーメモリ）、必要なデータを一時的に記憶するためのＲＡＭ（ランダムアクセスメモリ）、ハードディスクドライブ、ＲＡＭまたはＲＯＭに記憶されたプログラムに応じた処理を行うＣＰＵ（中央演算処理装置）、ならびにクロック発振器等を有している。
前記構成のプリンタサーバＰＳは、前記ハードディスクドライブ、ＲＡＭまたはＲＯＭに記憶されたプログラムを実行することにより種々の機能を実現することができる。
【００７４】
図６において、前記プリンタサーバ（印刷処理装置、画像処理装置）ＰＳの印刷情報処理手段Ｐ３は、次の各機能実現手段（プログラムモジュール）を有している。
Ｃ３１：受信印刷データ記憶手段
受信印刷データ記憶手段Ｃ３１は、前記印刷データ送信手段Ｃ２２によって送信された送信用印刷データを受信したときに受信印刷データとして記憶する。実施の形態１では、前記受信印刷データには、印刷対象となる元画像の画像データと、元画像を分割印刷することを指定する分割印刷指定データと前記貼合位置情報を印刷するか否かを指定する貼合位置情報指定値（貼合位置情報指定データ）と、前記元画像を印刷した時の印刷画像サイズの前記元画像サイズに対する倍率の設定値ａと、分割印刷する際の印刷用紙のサイズおよび枚数の設定値である使用印刷用紙サイズ設定値および使用印刷用紙枚数設定値と、各印刷用紙の重ね合わせ順序を設定した重ね合わせ順序設定値と、各印刷用紙の糊代幅を設定した糊代幅設定値と、両面印刷を指定する両面印刷指定データと、綴じ位置指定データと、貼合位置情報指定値とが含まれる。
【００７５】
図７は本発明の印刷情報処理手段の機能実現手段によってプリンタサーバのディスプレイに表示されるメイン画面の説明図である。
Ｃ３２：メイン画面表示手段
メイン画面表示手段Ｃ３２は、ディスプレイＤ２に印刷の進行状況等を表示するためのメイン画面２７（図７参照）を表示する。図７において、前記メイン画面２７には、印刷実行中の印刷ジョブを示す印刷ジョブ表示画像２７ａと、現在印刷中の印刷画像を表示するプレビュー画面２７ｂと、現在印刷中の印刷ジョブの状況（何ページ印刷ジョブが残っているか等）を表示する印刷状況表示画像２７ｃと、印刷がまだ実行されていない印刷ジョブやジョブ保持指定がされた印刷ジョブを表示する保持ジョブ表示画像２７ｄと、印刷ジョブを実行しようとしたが用紙のサイズが一致しない等の理由によりエラーとなった印刷ジョブを表示するエラージョブ表示画像２７ｅと、印刷開始やジョブ消去等の作業アイコンが表示される作業アイコン表示画像２７ｆとを有している。
【００７６】
Ｐ１：印刷パラメータ設定プログラム
印刷パラメータ設定プログラムＰ１は、前記クライアントパソコンＰＣの印刷パラメータ設定プログラムＰ１と同様に構成されており、同様の機能実現手段Ｃ１〜Ｃ１８を備えているので詳細な説明は省略する。そして、前記メイン画面２７の保持ジョブ表示画像２７ｄまたはエラージョブ表示画像２７ｅにおいて選択されたジョブの分割印刷設定が選択された場合、印刷パラメータ設定プログラムＰ１の各機能実現手段Ｃ１〜Ｃ１８により、分割印刷設定画面１等がディスプレイＤ２に表示される。
【００７７】
Ｃ３３：表示制御手段
表示制御手段Ｃ３３は、前記メイン画面２７や分割印刷設定画面１等のディスプレイＤ２に表示される画像の表示の切替等を制御する。
Ｃ３４：印刷指定処理手段
印刷指定処理手段Ｃ３４は、分割印刷指定判別手段Ｃ３４Ａと、ジョブ保持処理手段Ｃ３４Ｂと、エラー処理手段Ｃ３４Ｃとを有し、受信印刷データの印刷ジョブを実行する際の指定（分割印刷の指定やジョブ保持の指定等）を判別して処理する。
【００７８】
Ｃ３４Ａ：分割印刷指定判別手段
分割印刷指定判別手段Ｃ３４Ａは、受信印刷データが分割して印刷するよう指定されているか否かを判別する。
Ｃ３４Ｂ：ジョブ保持処理手段
ジョブ保持処理手段Ｃ３４Ｂは、受信印刷データがジョブ保持指定されているか否かを判別するジョブ保持指定判別手段Ｃ３４Ｂ１と、ジョブ保持指定された印刷ジョブの受信印刷データ（画像データ）を保持（記憶）する保持ジョブ画像データ記憶手段Ｃ３４Ｂ２と、選択された保持ジョブの消去する保持ジョブ消去手段Ｃ３４Ｂ３とを有する。
【００７９】
Ｃ３４Ｃ：エラー処理手段
エラー処理手段Ｃ３４Ｃは、元画像サイズに対応する印刷用紙が使用可能ではない等の場合に実行できない印刷ジョブ（エラージョブ）であると判別するエラージョブ判別手段Ｃ３４Ｃ１と、エラージョブと判別された際に印刷ジョブの受信印刷データをエラージョブデータとして保持する（記憶する）エラージョブデータ記憶手段Ｃ３４Ｃ２とを有する。
【００８０】
Ｃ３５：画像処理手段
画像処理手段Ｃ３５は、画像記録領域演算記憶手段Ｃ３５Ａと、印刷画像データ割り付け手段Ｃ３５Ｂと、裏面記録時設定値自動設定手段Ｃ３５Ｃと、貼合位置情報割付手段Ｃ３５Ｄとを有し、前記受信印刷データの各印刷パラメータや、印刷パラメータ設定プログラムＰ１で設定された印刷パラメータ等に基づいて画像処理を実行する。
Ｃ３５Ａ：画像記録領域演算記憶手段
画像記録領域演算記憶手段Ｃ３５Ａは、前記複数の印刷用紙を糊付けする際の各用紙の重合わせ順序と糊代幅とに応じて、前記複数の印刷用紙を糊付けして仕上がり用紙とした状態での前記各用紙の露出領域である画像記録領域を用紙毎に演算して用紙毎に記憶する。即ち、前記重ね合わせ順序と糊代幅に基づいて、各用紙のどの位置（用紙上縁等）に糊代が設定され、その糊代幅がいくらになるか等を用紙毎に算出し、画像が記録可能な領域の位置及び広さを記憶する。
【００８１】
Ｃ３５Ｂ：印刷画像データ割り付け手段
印刷画像データ割り付け手段Ｃ３５Ｂは、前記元画像サイズと前記倍率ａとに基づいて定まる印刷画像を記録するための印刷画像データを、前記画像記録領域演算記憶手段Ｃ３５Ａで演算され記憶された各用紙の前記露出領域である画像記録領域毎に割り付ける。また、実施の形態１の印刷画像データ割り付け手段Ｃ３５Ｂは、前記綴じ位置指定データに基づいて、前記仕上がり用紙の綴じ位置が上綴じに指定されている場合、分割用紙の裏面への画像記録時の印刷対象となる元画像の画像データを１８０°回転させた回転画像と前記倍率ａとに基づいて定まる印刷画像を記録するための印刷画像データを、前記各用紙の前記露出領域である画像記録領域毎に割り付ける。
【００８２】
Ｃ３５Ｃ：裏面記録時設定値自動設定手段
裏面記録時設定値自動設定手段Ｃ３５Ｃは、前記印刷データ作成プログラムＰ２の裏面記録時設定値自動設定手段Ｃ２３と同様に構成されている。したがって、クライアントパソコンＰＣから送信された受信印刷データでは裏面記録時の各設定値が自動的に設定されているため、裏面記録時設定値自動設定手段Ｃ３５Ｃでの処理が実行されないが、プリンタサーバＰＳで分割印刷設定が行われた場合や、ワークステーションＷＳ等から送信された受信印刷データで裏面記録時の各設定値がなされていない場合には、裏面記録時設定値自動設定手段Ｃ３５Ｃにより裏面記録時の各設定値が表面への画像記録時の各設定値に基づいて自動的に設定される。
【００８３】
Ｃ３５Ｄ：貼合位置情報割付手段
貼合位置情報割付手段Ｃ３５Ｄは、前記貼合位置情報指定値（識別番号有無指定値や識別線有無指定値等）によって貼合位置情報（重ね合わせ部分識別番号や重ね合わせ部分識別線等）を印刷することが指定されている場合に、前記貼合位置情報を前記各印刷用紙に割り付ける。
Ｃ３６：印刷制御手段（プリンタコントローラ）
印刷制御手段Ｃ３６は、前記各印刷用紙の前記各画像記録領域毎に割り付けられた印刷画像データ及び貼合位置情報を、前記各印刷用紙に印刷するようにプリンタ（印刷装置、画像処理装置）Ｐｒの動作を制御する。
【００８４】
（プリンタの機能）
図６において、プリンタＰｒは、外部との信号の入出力および入出力信号レベルの調節等を行うＩ／Ｏ（入出力インターフェース）、必要な処理を行うためのプログラムおよびデータ等が記憶されたＲＯＭ（リードオンリーメモリ）、必要なデータを一時的に記憶するためのＲＡＭ（ランダムアクセスメモリ）、ＲＡＭまたはＲＯＭに記憶されたプログラムに応じた処理を行うＣＰＵ（中央演算処理装置）、ならびにクロック発振器等を有している。
前記構成のプリンタＰｒは、前記ハードディスクドライブ、ＲＡＭまたはＲＯＭに記憶されたプログラムを実行することにより種々の機能を実現することができる。
【００８５】
前記プリンタ（印刷装置、画像処理装置）Ｐｒは、次の機能実現手段（機能実現処理、プログラムモジュール）を有している。
Ｃ４１：画像記録手段
画像記録手段Ｃ４１は、印刷制御手段Ｃ３６の制御に従って、前記プリンタサーバＰＳから送信された前記各印刷用紙の前記各画像記録領域毎に割り付けられた印刷画像データ及び貼合位置情報を、前記各印刷用紙に印刷する。
【００８６】
（実施の形態１のフローチャートの説明）
（クライアントパソコンのフローチャート）
図８は本発明の実施の形態１の印刷処理システムのクライアントパソコンにおける印刷設定処理のフローチャートである。
図８のフローチャートの各ＳＴ（ステップ）の処理は、前記クライアントパソコンＰＣのＣＰＵの処理に従って実行される。
【００８７】
図８のＳＴ１において、クライアントパソコンＰＣのアプリケーションプログラムＡＰにおいて、印刷処理開始が選択されたか否かを判別する。ノー（Ｎ）の場合はＳＴ１を繰り返し、イエス（Ｙ）の場合はＳＴ２に移る。
ＳＴ２において、前記図４に示す印刷開始入力画面をディスプレイＨ２に表示する。そしてＳＴ３に移る。
ＳＴ３において、印刷開始入力画面において「印刷開始」が選択されたか否かを判別する。ノー（Ｎ）の場合はＳＴ４に移り、イエス（Ｙ）の場合はＳＴ９に移る。
ＳＴ４において、印刷開始入力画面において「キャンセル」が選択されたか否かを判別する。ノー（Ｎ）の場合はＳＴ５に移り、イエス（Ｙ）の場合はＳＴ１０に移る。
【００８８】
ＳＴ５において、図４に示す印刷開始入力画面において印刷範囲、印刷部数、両面印刷の指定、ジョブ保持の指定等の入力や、オプション選択時に表示されるオプション設定画面において給紙トレイや排紙トレイの指定等の入力があったか否かを判別する。イエス（Ｙ）の場合はＳＴ６に移り、ノー（Ｎ）の場合はＳＴ７に移る。
ＳＴ６において、印刷開始入力画面においてされた印刷範囲等の入力のデータを入力データ用の一時記憶手段（ＲＡＭ等）で記憶し、前記入力に応じて印刷開始入力画面の表示を更新する。そして、ＳＴ３に戻る。
ＳＴ７において、印刷開始入力画面において「分割印刷の設定」が選択されたか否かを判別する。ノー（Ｎ）の場合はＳＴ３に戻り、イエス（Ｙ）の場合はＳＴ８に移る。
ＳＴ８において、分割設定処理（後述の図９のサブルーチン参照）を実行して、印刷用の画像データの印刷時の倍率や分割印刷する際の糊代幅等の設定を行い、各設定を一時記憶する。そして、ＳＴ３に戻る。
【００８９】
ＳＴ９において、ＳＴ３で「印刷開始」が選択されたので、前記ＳＴ５で入力され、ＳＴ６で一時記憶された入力データに応じた印刷用画像データ及び両面印刷指定データ等と、ＳＴ８において設定された分割印刷用の印刷パラメータとを含む送信用印刷データを前記印刷データ作成手段Ｃ２１で作成し、印刷データ送信手段Ｃ２２によってプリンタサーバＰＳに送信する。このとき、両面印刷が指定され且つ裏面側の印刷パラメータが全て設定されていない場合、裏面記録時設定値自動設定手段Ｃ２３によって、表面側の設定値に基づいて裏面側の印刷パラメータが設定された後、送信される。そして、印刷開始入力画面を閉じ、ＳＴ１に戻り、印刷処理開始が選択されるまで待機する。
ＳＴ１０において、印刷開始入力画面において「キャンセル」が選択されたので、前記ＳＴ６やＳＴ８で一時記憶された各設定値を消去する（破棄する）。そして、図４に示す印刷開始入力画面を閉じ、ＳＴ１に戻り、印刷処理開始が選択されるまで待機する。
【００９０】
したがって、前記ＳＴ１〜ＳＴ１０の処理によって、クライアントパソコンＰＣでは、印刷範囲等の設定や分割印刷の設定等が行われ、前記各設定に基づいた印刷用画像データ（元画像データ）と、倍率や糊代幅等の印刷パラメータを含む送信用印刷データが作成され、プリンタサーバＰＳに送信される。
【００９１】
（分割設定処理の説明）
図９は、前記図８の印刷設定処理の分割設定処理のサブルーチンのフローチャートである。
図１０は、本発明の画像処理プログラムとしての印刷パラメータ設定プログラムの機能実現手段によってクライアントパソコン又はプリンタサーバのディスプレイに表示される分割印刷設定画面（両面印刷指定時）の説明図である。
図９のＳＴ２１において、両面印刷が指定されているか否かを判別する。ノー（Ｎ）の場合はＳＴ２２に移り、イエス（Ｙ）の場合はＳＴ２３に移る。
ＳＴ２２において、前記図３に示す片面印刷用分割印刷設定画面１を表示し、ＳＴ２４に移る。
ＳＴ２３において、両面印刷用分割印刷設定画面（図１０参照）を表示し、ＳＴ２４に移る。なお、図１０おいて、図３と同様の画像には同じ符号を付してあるので、詳細な説明は省略する。
【００９２】
（倍率の変更）
ＳＴ２４において、分割印刷設定画面１において、倍率設定の入力がされたか否か判別する。イエス（Ｙ）の場合はＳＴ２５に移り、ノー（Ｎ）の場合はＳＴ２９に移る。
ＳＴ２５において、入力された倍率設定が「自動」であるか否か、即ち、前記倍率自動設定選択画像８ａが選択されたか否かを判別する。イエス（Ｙ）の場合はＳＴ２６に移り、ノー（Ｎ）の場合はＳＴ２７に移る。
ＳＴ２６において、元画像のサイズと仕上がり用紙サイズとに基づいて、元画像が仕上がり用紙サイズに収まる最大の倍率を自動的に演算して設定する倍率自動設定処理（後述の図１７のサブルーチン参照）が実行される。そして、ＳＴ２８に移る。
【００９３】
ＳＴ２７において、倍率設定画像８の倍率の欄に直接入力された値を倍率ａの設定値として設定し、倍率ａに基づいて元画像の用紙サイズ（元画像サイズ）を拡大または縮小する。そして、ＳＴ２８に移る。
ＳＴ２８において、次の（１）〜（３）の処理を実行する。
（１）更新された（設定された）設定値を一時記憶する
（２）分割印刷が指定されたことを示す分割印刷指定データを一時記憶する。
（３）更新に応じて分割印刷設定画面１の表示を更新する。
そして、ＳＴ２４に戻る。
【００９４】
図１１は倍率自動設定が選択された場合の分割印刷設定画面の説明図である。前記ＳＴ２４〜ＳＴ２８の処理によって、ユーザの入力または自動設定によって、倍率ａが更新され、分割印刷設定画面１上の表示が元画像Ｇから倍率乗算画像Ｇ′に更新される。例えば、図３に示す元画像の用紙サイズ（画像サイズ）がＡ２（４２０ｍｍ×５９４ｍｍ）、仕上がり用紙サイズが４２０ｍｍ×５７４ｍｍである場合に、倍率自動設定が選択されると、前記ＳＴ２６の倍率自動設定処理によって倍率ａ（９６％）が自動的に算出され、倍率自動設定選択画像８ａのチェックボックスがチェックされる。そして、図３に示す仕上がり用紙画像６に前記元画像Ｇを重ねた画像である用紙元画像重合画像７から、図１１に示す仕上がり用紙画像６に倍率乗算画像Ｇ′を重ねた画像である用紙倍率乗算画像重合画像７′に更新される。
【００９５】
（糊代サイズの変更）
図９のＳＴ２９において、分割印刷設定画面１の糊代設定画像４に糊代サイズ（糊代幅）を設定する入力があったか否かを判別する。イエス（Ｙ）の場合はＳＴ３０に移り、ノー（Ｎ）の場合はＳＴ３１に移る。
ＳＴ３０において、入力された糊代サイズ（糊代幅）に応じて仕上がり用紙サイズを計算し、仕上がり用紙サイズを更新する。そして、ＳＴ２８に移る。
図１２は糊代サイズが変更された場合の分割印刷設定画面の説明図である。
したがって、前記ＳＴ２９，ＳＴ３０，ＳＴ２８の処理によって、入力された糊代サイズに応じて糊代設定画像４が更新されると共に、糊代サイズに応じて仕上がり用紙サイズが変更され糊代サイズ仕上がり用紙画像６が更新される。例えば、左右方向の糊代サイズ（糊代幅）を図３に示す初期設定値２０ｍｍから、図１２に示す設定値２５ｍｍに変更した場合、変更に伴い左右方向糊代幅設定画像４ｂの表示が更新されると共に、仕上がり用紙サイズ表示画像１０の仕上がり用紙サイズの値が４２０ｍｍ×５７４ｍｍ（図３参照）から４２０ｍｍ×５６９ｍｍ（図１２参照）に更新される。そして、前記仕上がり用紙サイズの値の更新に伴い、分割印刷設定画面１の仕上がり用紙画像６が更新される。なお、図１２に示すように上下方向に糊代が設けられない場合（糊代幅が０ｍｍの場合）、上下方向糊代幅設定画像４ａには何も表示されない。
【００９６】
（分割数の変更）
ＳＴ３１において、分割印刷設定画面１の印刷用紙使用枚数設定画像３ｂに印刷用紙使用枚数設定値（分割数）を変更する入力されたか否かを判別する。イエス（Ｙ）の場合はＳＴ３２に移り、ノー（Ｎ）の場合はＳＴ３３に移る。
ＳＴ３２において、使用する印刷用紙の枚数を設定する分割数設定処理（後述の図１８のサブルーチン参照）が実行され、ＳＴ２８に移る。
前記ＳＴ３１，ＳＴ３２，ＳＴ２８の処理によって、入力された分割数（印刷用紙使用枚数設定値）に応じて印刷用紙使用枚数設定画像３ｂが更新されると共に、変更前の分割数と変更後の分割数とが所定の関係を満足する場合、使用印刷用紙が更新される。そして、前記分割数の変更や使用印刷用紙の変更に応じて仕上がり用紙サイズが更新され、仕上がり用紙サイズ表示画像１０及び仕上がり用紙画像６が更新される。
【００９７】
図１３は分割数が変更された場合の分割印刷設定画面の説明図である。
例えば、図３に示す分割数２の設定から、分割数４に変更した場合、分割数が二倍になり且つ変更前の使用印刷用紙設定サイズ（Ａ３、図３参照）の１／２の大きさのサイズの印刷用紙（Ａ４）が使用可能なので、後述するＳＴ３２の分割数設定処理によって、図１３に示すように分割数が入力された値である４に変更されると共に、使用印刷用紙設定サイズが自動的にＡ４に変更される。そして、この変更に伴い、分割印刷設定画面１の印刷用紙サイズ設定画像３ａ、印刷用紙使用枚数設定画像３ｂ、糊代設定画像４、仕上がり用紙サイズ表示画像１０及び仕上がり用紙画像６が更新される。
【００９８】
（使用用紙の変更）
図９のＳＴ３３において、分割印刷設定画面１の印刷用紙サイズ設定画像３ａに表示された使用可能用紙サイズの中から現在使用印刷用紙のサイズとして設定されている使用印刷用紙設定サイズ（図３において枠線が太く表示されているＡ３サイズ）から別のサイズに変更する入力がされたか否かを判別する。イエス（Ｙ）の場合はＳＴ３４に移り、ノー（Ｎ）の場合はＳＴ３５に移る。
ＳＴ３４において、使用印刷用紙を変更する使用用紙変更処理（後述の図１９のサブルーチン参照）が実行され、ＳＴ２８に移る。
したがって、前記ＳＴ３３，ＳＴ３４，ＳＴ２８の処理によって、選択された使用印刷用紙設定サイズに応じて印刷用紙サイズ設定画像３ａが更新されると共に、変更前の使用印刷用紙設定サイズと変更後の使用印刷用紙設定サイズとが所定の関係を満足する場合、分割数（印刷用紙使用枚数設定値）が更新される。そして、前記使用印刷用紙のサイズの変更や分割数の変更に応じて仕上がり用紙サイズ等が更新され、仕上がり用紙サイズ表示画像１０及び仕上がり用紙画像６等が更新される。
【００９９】
例えば、図３に示す使用印刷用紙設定サイズがＡ３の設定から、Ａ４に変更した場合、変更前の使用印刷用紙設定サイズＡ３の１／２の大きさのサイズの使用印刷用紙設定サイズＡ４に変更されたので、前記ＳＴ３４の使用用紙変更処理によって、図１３に示すように、使用印刷用紙設定サイズが選択されたＡ４に変更されると共に、分割数が二倍されて２から４に自動的に変更される。そして、この変更に伴い、図１３に示すように、分割印刷設定画面１の印刷用紙サイズ設定画像３ａ、印刷用紙使用枚数設定画像３ｂ、糊代設定画像４、仕上がり用紙サイズ表示画像１０及び仕上がり用紙画像６が更新される。
【０１００】
（重なり順の変更）
図９のＳＴ３５において、分割印刷設定画面１の「用紙の重なり順の設定」が選択されたか否かを判別する。イエス（Ｙ）の場合はＳＴ３６に移り、ノー（Ｎ）の場合はＳＴ３７に移る。
ＳＴ３６において、重なり順（重ね合わせ順序）を設定するための重なり順変更処理（後述の図２０のサブルーチン参照）が実行され、ＳＴ２８に移る。
したがって、前記ＳＴ３５，ＳＴ３６，ＳＴ２８の処理によって、重合わせ順序設定画像９が選択された場合に、ＳＴ３６の重なり順変更処理によって重なり順が更新され、これに伴い用紙の重ね合わせの順序を示す番号である重なり順番号及び、仕上がり用紙画像６や重なり順番号表示画像６ａが更新される。
【０１０１】
図１４は重ね合わせ順序が変更された場合の分割印刷設定画面の説明図である。
例えば、図１３に示された使用印刷用紙設定サイズＡ４、分割数４、重ね合わせ順序が左上、左下、右上、右下の順の左上縦優先に設定されている状態から、ＳＴ３６の処理によって、図１４に示すように重ね合わせ順序が右上、右下、左上、左下の右上縦優先に変更された場合、この変更に伴い、重ね合わせ順序設定値及び重なり順番号が更新される。そして、この重なり順序の設定の変更に伴い、糊代の位置が自動的に変更され、仕上がり用紙画像６及び重なり順番号表示画像６ａが更新される。
【０１０２】
（余白最小の設定）
図９のＳＴ３７において、分割印刷設定画面１において余白最小指定画像４ｃを選択する入力がされたか否かを判別する。イエス（Ｙ）の場合はＳＴ３８に移り、ノー（Ｎ）の場合はＳＴ４１に移る。
ＳＴ３８において、元画像の画像サイズまたは倍率ａを乗算した後の倍率乗算画像Ｇ′の画像サイズと、仕上がり用紙サイズとに基づいて、余白が最小になるように糊代幅を調節するための余白最小設定処理（後述の図２３のサブルーチン参照）を実行し、ＳＴ２８に移る。
したがって、前記ＳＴ３７，ＳＴ３８，ＳＴ２８の処理によって、余白最小指定画像４ｃが選択された場合に、ＳＴ３８の余白最小設定処理によって糊代幅が自動調節され、これに伴い、上下方向糊代幅設定画像４ａ、左右方向糊代幅設定画像４ｂが更新され、仕上がり用紙画像６が更新される。
【０１０３】
図１５は余白を最小にする選択がされた場合の分割印刷設定画面の説明図である。
例えば、図１３に示された使用印刷用紙設定サイズＡ４、分割数４の設定状態から、使用印刷用紙設定サイズをＢ４に変更後、余白を最小にする選択がされた場合（即ち、余白最小設定画像４ｃが選択された場合）、図１５に示すように、元画像の用紙サイズ（画像サイズ）と仕上がり用紙サイズとに基づいて糊代サイズが調節される。
なお、図３に示す状態で、余白を最小にする選択がされた場合に、前記ＳＴ２６の倍率自動設定処理を実行して、図１１に示す状態と同様に倍率ａが９６％に自動設定されるよう処理することも可能である。
【０１０４】
（貼合位置情報の付与の設定）
図９のＳＴ３９において、分割印刷設定画面１において、貼合位置情報設定画像１１を選択する入力がされたか否かを判別する。イエス（Ｙ）の場合はＳＴ４０に移り、ノー（Ｎ）の場合はＳＴ４１に移る。
ＳＴ４０において、各分割印刷画像どうしを貼り合わせる際に、貼り合わせる基準となる貼合位置情報の付与の指定の有無を指定するための貼合位置情報設定処理（後述の図２４のサブルーチン参照）が実行され、ＳＴ２８に移る。
したがって、前記ＳＴ３９，ＳＴ４０，ＳＴ２８の処理によって、貼合位置情報設定画像１１が選択された場合に、ＳＴ４０の貼合位置情報設定処理によって、貼合位置情報の付与の指定の有無が更新される。
【０１０５】
図１６は貼合位置情報の付与が指定された場合の分割印刷設定画面の説明図である。
例えば、図３に示す貼合位置情報の付与が指定されていない状態から、重ね合わせ部分識別番号の付与の指定及び重ね合わせ部分識別線の付与の指定がされた場合、図１６に示すように、仕上がり用紙画像６の糊代領域の部分に、重ね合わせ部分識別番号表示画像１２ａと重ね合わせ部分識別線表示画像１２ｂとを有する貼合位置情報表示画像１２が表示される。
【０１０６】
（設定の終了）
図９のＳＴ４１において、分割印刷設定画面１の「設定終了」が選択されたか否かを判別する。イエス（Ｙ）の場合はＳＴ４２に移り、ノー（Ｎ）の場合はＳＴ４３に移る。
ＳＴ４２において、前記ＳＴ２８で一時記憶された更新データ（倍率ａや糊代サイズ、貼合位置情報の指定の有無等の印刷パラメータ）を確定記憶する。そして、分割設定処理を終了し、前記図８のクライアントパソコンにおける印刷設定処理のフローチャートのＳＴ８に戻る。
ＳＴ４３において、分割印刷画面１の「キャンセル」が選択されたか否かを判別する。イエス（Ｙ）の場合はＳＴ４４に移り、ノー（Ｎ）の場合はＳＴ２４に戻る。
ＳＴ４４において、前記ＳＴ２８で一時記憶された更新データを消去する。そして、分割設定処理を終了し、前記図８のクライアントパソコンにおける印刷設定処理のフローチャートのＳＴ８に戻る。
【０１０７】
（倍率自動設定処理のサブルーチンの説明）
図１７は、前記図９の分割設定処理における倍率自動設定処理のサブルーチンのフローチャートである。
図１７のＳＴ７１において、次の処理（１）、（２）を実行する。
（１）画像サイズ（元画像サイズ）の縦方向長さＧｔ及び横方向長さＧｙを読みとる。
（２）仕上がり用紙サイズの縦方向長さＳｔ及び横方向長さＳｙを読みとる。
そしてＳＴ７２に移る。
ＳＴ７２において、（Ｓｔ／Ｇｔ）＜（Ｓｙ／Ｇｙ）であるか否かを判別する。イエス（Ｙ）の場合はＳＴ７３に移り、ノー（Ｎ）の場合はＳＴ７４に移る。
【０１０８】
ＳＴ７３において、（Ｓｔ／Ｇｔ）＜（Ｓｙ／Ｇｙ）である場合、倍率ａの設定値を（Ｓｔ／Ｇｔ）×１００％に自動設定し、ＳＴ７５に移る。
ＳＴ７４において、（Ｓｔ／Ｇｔ）≧（Ｓｙ／Ｇｙ）である場合、倍率ａの設定値を（Ｓｙ／Ｇｙ）×１００％に自動設定し、ＳＴ７５に移る。
ＳＴ７５において、設定された倍率ａに応じて元画像Ｇまたは倍率乗算画像Ｇ′を拡大又は縮小する。そして、倍率自動設定処理を終了し、前記図９の分割設定処理のＳＴ２６に戻る。
【０１０９】
前記ＳＴ７１〜ＳＴ７５の倍率自動設定処理によって、仕上がり用紙内に元画像Ｇの全体が収まる最大の倍率ａに自動的に設定される。例えば、図３に示す印刷設定画面１では、前記Ｇｔ＝４２０ｍｍ、Ｇｙ＝５９４ｍｍ、Ｓｔ＝４２０ｍｍ、Ｓｙ５７４ｍｍであるので、（Ｓｔ／Ｇｔ）＝１、（Ｓｙ／Ｇｙ）＝０．９６であり、（Ｓｔ／Ｇｔ）≧（Ｓｙ／Ｇｙ）が成立する。したがって、倍率自動設定が選択された場合、図１１に示すように倍率ａが９６％に自動設定され、元画像Ｇ（図３参照）から縮小された倍率乗算画像Ｇ′（図１１参照）に変更される。逆に、元画像Ｇよりも仕上がり用紙サイズが大きい場合、拡大された倍率乗算画像Ｇ′に変更される。
【０１１０】
（分割数設定処理のサブルーチンの説明）
図１８は、前記図９の分割設定処理における分割数設定処理のサブルーチンのフローチャートである。
図１８のＳＴ８１において、現在設定されている分割数（変更前分割数）が、分割印刷設定画面１で入力された分割数（変更後分割数）の２倍になっているか否かを判別する。イエス（Ｙ）の場合はＳＴ８２に移り、ノー（Ｎ）の場合はＳＴ８５に移る。
ＳＴ８２において、現在設定されている使用印刷用紙設定サイズの１／２倍のサイズの用紙が使用可能であるか否かを判別する。例えば、現在設定されている使用印刷用紙設定サイズがＡ３である場合、Ａ３の半分の面積のＡ４の印刷用紙が使用可能であるか否かを判別する。イエス（Ｙ）の場合はＳＴ８３に移り、ノー（Ｎ）の場合はＳＴ８４に移る。
ＳＴ８３において、使用印刷用紙設定サイズを１／２倍のサイズの印刷用紙サイズに変更し、ＳＴ８４に移る。
【０１１１】
ＳＴ８４において、次の処理（１）、（２）を実行する。
（１）分割数を、分割印刷設定画面１で入力された変更後分割数に更新する。
（２）更新された分割数と使用印刷用紙設定サイズ及び糊代サイズに基づいて仕上がり用紙サイズを計算する。
そして、分割数設定処理を終了し、前記図９の分割設定処理のＳＴ３２に戻る。
ＳＴ８５において、変更前分割数が変更後分割数の１／２倍になっているか否かを判別する。イエス（Ｙ）の場合はＳＴ８６に移り、ノー（Ｎ）の場合はＳＴ８４に移る。
ＳＴ８６において、現在設定されている使用印刷用紙設定サイズの２倍のサイズの用紙が使用可能であるか否かを判別する。例えば、現在設定されている使用印刷用紙設定サイズがＡ４である場合、Ａ４の２倍の面積のＡ３の印刷用紙が使用可能であるか否かを判別する。イエス（Ｙ）の場合はＳＴ８７に移り、ノー（Ｎ）の場合はＳＴ８４に移る。
ＳＴ８７において、使用印刷用紙設定サイズを２倍のサイズの印刷用紙サイズに変更し、ＳＴ８４に移る。
【０１１２】
したがって、前記ＳＴ８１〜ＳＴ８７の分割数設定処理によって、分割印刷設定画面１で入力された分割数（変更後分割数）が、変更前分割数の２倍であり且つ１／２倍のサイズの用紙が使用可能である場合と、変更後分割数が変更前分割数の１／２倍であり且つ２倍のサイズの用紙が使用可能である場合に、分割数の変更に伴い使用印刷用紙設定サイズも自動変更される。例えば、使用印刷用紙がＡ３で分割数２の状態（図３に示す状態）で、分割数を４に変更した場合、印刷用紙がＡ４に自動的に変更される（図１３参照）。それ以外の場合は、使用印刷用紙が変更されず、分割数の増減に応じて、印刷用紙使用枚数が増減した仕上がり用紙の画像が分割印刷設定画面１に表示される。
【０１１３】
（使用用紙変更処理のサブルーチンの説明）
図１９は前記図９の分割設定処理における使用用紙変更処理のサブルーチンのフローチャートである。
図１９のＳＴ９１において、現在設定されている使用印刷用紙設定サイズ（変更前用紙サイズ）が、分割印刷設定画面１で選択入力された使用可能印刷用紙サイズ（変更後用紙サイズ）の１／２倍になっているか否かを判別する。例えば、現在設定されている使用印刷用紙設定サイズがＡ３である場合、Ａ３の半分の面積のＡ４の印刷用紙が選択されたか否かを判別する。イエス（Ｙ）の場合はＳＴ９２に移り、ノー（Ｎ）の場合はＳＴ９４に移る。
ＳＴ９２において、分割数（印刷用紙使用枚数設定値）を１／２倍の分割数に更新し、ＳＴ９３に移る。なお、実施の形態１では分割数は１，２，４に限定されているので、変更前の分割数が１である場合、分割数は更新されない。
【０１１４】
ＳＴ９３において、次の処理（１）、（２）が実行される。
（１）使用印刷用紙設定サイズを、分割印刷設定画面１で入力された変更後用紙サイズに更新する。
（２）更新された使用印刷用紙設定サイズや分割数、糊代サイズ等に基づいて仕上がり用紙サイズを計算する。
そして、使用用紙変更処理を終了し、前記図９の分割設定処理のＳＴ３４に戻る。
ＳＴ９４において、前記変更前用紙サイズが変更後用紙サイズの２倍になっているか否かを判別する。例えば、現在設定されている使用印刷用紙設定サイズがＡ４である場合、Ａ４の２倍の面積のＡ３の印刷用紙が選択されたか否かを判別する。イエス（Ｙ）の場合はＳＴ９５に移り、ノー（Ｎ）の場合はＳＴ９３に移る。
ＳＴ９５において、分割数（印刷用紙使用枚数設定値）を２倍の分割数に更新し、ＳＴ９３に移る。なお、実施の形態１では分割数は１，２，４に限定されているので、変更前の分割数が４である場合、分割数は８に更新されない。
【０１１５】
したがって、前記ＳＴ９１〜ＳＴ９５の使用用紙変更処理によって、分割印刷設定画面１で選択入力された印刷用紙のサイズ（変更後用紙サイズ）が、変更前用紙サイズの１／２倍である場合と、変更後用紙サイズが変更前用紙サイズの２倍である場合に、分割数が自動変更される。例えば、使用印刷用紙がＡ３で分割数２の状態（図３に示す状態）で、Ａ４の印刷用紙サイズを選択した場合、分割数が４に自動的に変更される（図１３参照）。それ以外の場合は、分割数が変更されず、選択された用紙サイズに応じた仕上がり用紙の画像が分割印刷設定画面１に表示される。
【０１１６】
（重なり順変更処理のサブルーチンの説明）
図２０は前記図９の分割設定処理における重なり順変更処理のサブルーチンのフローチャートである。
図２１は重なり順選択画面の説明図である。
図２０のＳＴ１０１において、分割印刷設定画面１で「用紙の重なり順設定」が選択された場合、図２１に示す重なり順選択画面がディスプレイＨ２に表示される。前記重なり順選択画面において、ユーザはキーボードＨ３やマウスＨ４等の入力装置によって重なり順（図２１における「左上横優先」等）の選択や、「ＯＫ」、「キャンセル」の選択、入力をすることができる。また、図２１の重なり順選択画面には、仮に貼合位置情報の付与の指定がされた場合に、印刷用紙どうしの境界部分に印刷される重ね合わせ部分識別番号が重なり順（重ね合わせ順序）に対応して表示される。そしてＳＴ１０２に移る。
【０１１７】
ＳＴ１０２において、重なり順選択画面において「ＯＫ」が選択入力されたか否かを判別する。ノー（Ｎ）の場合はＳＴ１０３に移り、イエス（Ｙ）の場合はＳＴ１０６に移る。
ＳＴ１０３において、重なり順選択画面において「キャンセル」が選択入力されたか否かを判別する。ノー（Ｎ）の場合はＳＴ１０４に移り、イエス（Ｙ）の場合はＳＴ１１４に移る。
ＳＴ１０４において、重なり順選択画面において、重なり順（「左上横優先」等）が選択された入力があったか否かを判別する。イエス（Ｙ）の場合はＳＴ１０５に移り、ノー（Ｎ）の場合はＳＴ１０２に戻る。
ＳＴ１０５において、次の処理（１）、（２）を実行する。
（１）選択入力された重なり順（重ね合わせ順序）を一時記憶する。
（２）選択された重なり順の重なり順選択画面における表示を更新する。
そして、ＳＴ１０２に戻る。
【０１１８】
ＳＴ１０６において、前記ＳＴ１０５の処理によって一時記憶されたデータがあるか否かを判別する。イエス（Ｙ）の場合はＳＴ１０７に移り、ノー（Ｎ）の場合は、重なり順選択画面が閉じられて重なり順変更設定処理を終了し、図９の分割設定処理のＳＴ３６に戻る。
ＳＴ１０７において、重なり順をＳＴ１０５の処理で一時記憶された重なり順に更新し、ＳＴ１０８に移る。
ＳＴ１０８において、両面印刷が指定されているか否かを判別する。イエス（Ｙ）の場合はＳＴ１０９に移り、ノー（Ｎ）の場合はＳＴ１１２に移る。
ＳＴ１０９において、上下綴じが選択されているか否かを判別する。イエス（Ｙ）の場合はＳＴ１１０に移り、ノー（Ｎ）の場合はＳＴ１１１に移る。
【０１１９】
図２２は前記図２０の重なり順変更処理において使用される表裏対応テーブルの説明図である。
ＳＴ１１０において、図２２に示す表裏対応テーブルから、更新された仕上がり用紙表面の重なり順に対応する裏面（上下綴じ）の重なり順を、仕上がり用紙裏面の重なり順として設定し更新する。そして、ＳＴ１１２に移る。
ＳＴ１１１において、図２２に示す表裏対応テーブルから、更新された仕上がり用紙表面の重なり順に対応する裏面（左右綴じ）の重なり順を、仕上がり用紙裏面の重なり順として設定し更新する。そして、ＳＴ１１２に移る。
【０１２０】
ＳＴ１１２において、更新された重なり順に応じて、各用紙に付与されていた重なり順番号を更新する。両面印刷の場合は、各用紙の表面及び裏面それぞれの重なり順番号が更新される。このとき、重なり順に応じて印刷用紙毎に糊代の位置、即ち、印刷用紙のどの方向に重なり順番号何番目の用紙が重なるかを重なり用紙情報として用紙毎に記憶する。また、前記重なり順に応じて重ね合わせ部分識別番号が用紙毎に記憶される。例えば、元画像が４分割される場合に重なり順が「左上横優先」に設定された場合、重なり順番号１の用紙の右方向に重なり順番号２の用紙が重なり且つその重ね合わせ部分識別番号が１であり、下方向に重なり順番号３の用紙が重なり且つその重ね合わせ部分識別番号が３であることが記憶される。そして、重なり順選択画面が閉じられて重なり順変更設定処理を終了し、図９の分割設定処理のＳＴ３６に戻る。
【０１２１】
ＳＴ１１３において、重なり順選択画面において「キャンセル」が選択入力された場合、ＳＴ１０５の処理で一時記憶されたデータ（重なり順）が消去される。そして、重なり順選択画面が閉じられて重なり順変更設定処理を終了し、図９の分割設定処理のＳＴ３６に戻る。
したがって、前記ＳＴ１０１〜ＳＴ１１３の重なり順変更処理によって、重なり順選択画面で選択された重なり順に応じて重なり順及び重なり順番号が更新される。例えば、図１３に示す「左上縦優先」の重なり順から、「右上縦優先」の重なり順に変更された場合、重なり順、重なり順番号及び重ね合わせ部分識別番号のデータが更新され、図１４に示すように仕上がり用紙画像６及び重なり順番号表示画像６ａが更新される。
また、両面印刷の場合、表面及び裏面の重なり順番号が更新される。なお、両面印刷の場合、表面の重なり順が決まると裏面の重なり順が自動的に決まる。
【０１２２】
（余白最小設定処理のサブルーチンの説明）
図２３は前記図９の分割設定処理における余白最小設定処理のサブルーチンのフローチャートである。
図２３のＳＴ１２１において、画像サイズ（元画像サイズ）が仕上がり用紙サイズ（仕上がり用紙サイズ）以下のサイズであるか否かを判別する。イエス（Ｙ）の場合はＳＴ１２２に移り、ノー（Ｎ）の場合はＳＴ１２３に移る。
ＳＴ１２２において、次の処理（１）、（２）を実行する。
（１）（使用印刷用紙設定サイズ（用紙サイズ）の横方向長さ）×２―（画像サイズの横方向長さＧｙ）の値を左右方向の糊代幅に設定する。
（２）（用紙サイズの縦方向長さ）×２―（画像サイズの縦方向長さＧｔ）の値を上下方向の糊代幅に設定する。
そして、余白最小設定処理を終了して図９のＳＴ３８に戻る。
ＳＴ１２３において、分割印刷設定画面１に「余白最小設定不可」のエラーメッセージ画像を表示して、ユーザに告知する。そして、余白最小設定処理を終了して図９のＳＴ３８に戻る。
【０１２３】
したがって、前記ＳＴ１２１〜ＳＴ１２３の余白最小設定処理によって、余白が最小になるように糊代幅が自動計算され設定される。例えば、図１３に示す状態から使用印刷用紙設定サイズをＢ５に変更後、余白最小設定を選択した場合、図１５に示すように、画像サイズと仕上がり用紙サイズとが同一になるように、上下方向の糊代サイズが１０ｍｍから９４ｍｍ（＝（印刷用紙の縦方向長さ、Ｂ４の短辺長さ）２５７ｍｍ×２−４２０ｍｍ（画像サイズＡ２の縦方向長さ））に自動設定され、左右方向の糊代サイズが２０ｍｍから１３４ｍｍ（＝（印刷用紙の横方向長さ、Ｂ４の長辺長さ）３６４ｍｍ×２−５９４ｍｍ（画像サイズＡ２の縦方向長さ））に自動設定される。なお、前記ＳＴ１２３のエラーメッセージ表示処理に替えて、前記ＳＴ２６の倍率自動設定処理を実行することによって、前記元画像サイズよりも仕上がり用紙のサイズ（仕上がり用紙サイズ）が小さな場合に、前記倍率自動設定選択画像８ａが選択された時と同様に、余白が最小になるように倍率ａを自動調節するよう処理することも可能である。
【０１２４】
（貼合位置情報設定処理のサブルーチンの説明）
図２４は前記図９の分割設定処理における貼合位置情報設定処理のサブルーチンのフローチャートである。
図２４のＳＴ１３１において、分割印刷設定画面１で「貼合位置情報付与設定」が選択された場合、図５に示す貼合位置情報設定画面２１がディスプレイＨ２に表示される。前記貼合位置情報設定画面２１（図５参照）において、ユーザはキーボードＨ３やマウスＨ４等の入力装置によって貼合位置情報の付与の指定をすることができる。前記図５において、貼合位置情報設定画面２１には、識別番号指定画像２２と、識別線指定画像２３と、裁断位置情報指定画像２４と、レイアウト位置情報指定画像２５と、表面位置情報指定画像２６とが表示されている。実施の形態１では前記識別番号指定画像２２、識別線指定画像２３、裁断位置情報指定画像２４、レイアウト位置情報指定画像２５及び表面位置情報指定画像２６はラジオボタンで構成されているが、スピンコントロールボタン等で構成することも可能である。前記各指定画像２２〜２６に選択する入力をすることによって、重ね合わせ部分識別番号等を印刷するか否かの指定をすることができる。そして、ＳＴ１３２に移る。
【０１２５】
ＳＴ１３２において、貼合位置情報設定画面２１において「ＯＫ」が選択入力されたか否かを判別する。ノー（Ｎ）の場合はＳＴ１３３に移り、イエス（Ｙ）の場合はＳＴ１３７に移る。
ＳＴ１３３において、貼合位置情報設定画面２１において「キャンセル」が選択入力されたか否かを判別する。ノー（Ｎ）の場合はＳＴ１３４に移り、イエス（Ｙ）の場合はＳＴ１３６に移る。
ＳＴ１３４において、貼合位置情報設定画面２１において、重ね合わせ部分識別番号を付与する指定や、付与しない指定等の入力があったか否かを判別する。イエス（Ｙ）の場合はＳＴ１３５に移り、ノー（Ｎ）の場合はＳＴ１３２に戻る。
ＳＴ１３５において、次の処理（１）、（２）を実行する。
（１）変更入力された各指定（指定値）を一時記憶する。
（２）変更に応じて貼合位置情報設定画面２１の表示を更新する。
そして、ＳＴ１３２に戻る。
【０１２６】
ＳＴ１３６において、前記貼合位置情報設定画面２１で「キャンセル」が入力された場合、前記ＳＴ１３５で一時記憶したデータ（指定値）を消去する（破棄する）。そして、ＳＴ１３９に移る。
ＳＴ１３７において、前記貼合位置情報設定画面２１で「ＯＫ」が入力された場合、前記ＳＴ１３５の処理によって一時記憶されたデータがあるか否かを判別する。イエス（Ｙ）の場合はＳＴ１３８に移り、ノー（Ｎ）の場合は、ＳＴ１３９に移る。
ＳＴ１３８において、各指定値をＳＴ１０５の処理で一時記憶された各指定値に更新し、ＳＴ１３９に移る。
【０１２７】
ＳＴ１３９において、貼合位置情報（重ね合わせ部分識別番号等）の各指定値の中に「付与する」または「印刷する」との指定がされている指定値があるか否かを判別する。イエス（Ｙ）の場合はＳＴ１４０に移り、ノー（Ｎ）の場合はＳＴ１４１に移る。
ＳＴ１４０において、各指定値のいずれかに付与（印刷）の指定があるので、貼合位置情報付与指定（貼合位置情報指定値）を「有り」に設定し、貼合位置情報設定画面２１を閉じて貼合位置情報設定処理を終了し、図９の分割設定処理のＳＴ４０に戻る。
ＳＴ１４１において、指定値の全てに付与の指定がないので、貼合位置情報付与指定を「無し」に設定し、貼合位置情報設定画面２１を閉じて貼合位置情報設定処理を終了し、図９の分割設定処理のＳＴ４０に戻る。
【０１２８】
したがって、前記ＳＴ１３１〜ＳＴ１４１の貼合位置情報設定処理によって、貼合位置情報設定画面２１での入力に応じて、重ね合わせ部分識別番号や重ね合わせ部分識別線等の貼合位置情報が更新され、貼合位置情報設定画面２１の表示が更新される。
例えば、全ての貼合位置情報の付与の指定が無い図３に示す状況から、貼合位置情報設定画面２１において、重ね合わせ部分識別番号や重ね合わせ部分識別線の付与の指定をすると、図３に示す状態から、図１６に示すように、重ね合わせ部分識別番号表示画像１２ａと重ね合わせ部分識別線表示画像１２ｂとが表示され、分割印刷設定画面１の表示が更新される。
【０１２９】
（プリンタサーバのフローチャート）
図２５は本発明の実施の形態１の印刷処理システムのプリンタサーバにおける処理のメインフローチャートである。
図２５のフローチャートの各ＳＴ（ステップ）の処理は、前記プリンタサーバＰＳのＣＰＵの処理に従って実行される。
図２５のフローチャートは、プリンタサーバＰＳの電源がオンになった時に開始される。
【０１３０】
図２５のＳＴ２０１において、前記図７に示すメイン画面２７を表示し、ＳＴ２０２に移る。
ＳＴ２０２において、クライアントパソコンＰＣからの送信用印刷データを受信したか否か（データ入力があったか否か）を判別する。イエス（Ｙ）の場合はＳＴ２０３に移り、ノー（Ｎ）の場合はＳＴ２１２に移る。なお、このとき、受信した印刷データの情報（印刷データを送信したクライアントパソコンＰＣの識別情報や、受信した日時、全ページ数等）がメイン画面２７の保持ジョブ表示画像２７ｄに受信した順にリスト表示される。
ＳＴ２０３において、受信印刷データ（ジョブ）がジョブ保持指定されているか否かを判別する。イエス（Ｙ）の場合はＳＴ２０４に移り、ノー（Ｎ）の場合はＳＴ２０６に移る。
【０１３１】
ＳＴ２０４において、受信印刷データがジョブ保持指定されているので、受信印刷データをジョブ保持用メモリにコピーする。なお、このとき、メイン画面２７の保持ジョブ表示画像２７ｄにリスト表示された受信印刷データのうち、ジョブ保持が指定された印刷データにはジョブ保持指定がされたことを表示するためにチェックボックスにチェックが付される。
そしてＳＴ２０５に移る。
ＳＴ２０５において、ジョブ保持指定された受信印刷データが印刷するよう指定されているか否かを判別する。イエス（Ｙ）の場合はＳＴ２０６に移り、ノー（Ｎ）の場合はＳＴ２０８に移る。即ち、印刷データを送信する際に分割印刷の設定ができない実施の形態１のワークステーションＷＳ等から分割印刷を実行したい場合、印刷データ送信時にジョブの保持の指定をし且つ印刷しないよう指定することで、プリンタサーバの分割印刷設定画面１で分割印刷の設定をして分割印刷することができる。
【０１３２】
したがって、前記ＳＴ２０２〜ＳＴ２０５の処理によって、受信印刷データにジョブ保持の指定及び印刷の指定が含まれているか判別され、ジョブ保持の処理（ＳＴ２０４）が実行され、これに伴いメイン画面２７の表示が更新される。プリンタサーバＰＳのメイン画面２７において、受信印刷データは受信した順に保持ジョブ表示画像２７ｄにリスト表示され、受信時期の古い印刷データから順に印刷される。印刷される際には、印刷ジョブ表示画像２７ａの部分に受信印刷データの情報が表示されるよう印刷ジョブ表示画像２７ａが更新される。ジョブ保持の指定がされていない場合、印刷時に、印刷ジョブ表示画像２７ａに情報が表示されると共に、保持ジョブ表示画像２７ｄのリストから印刷される受信印刷データの情報が消去される。
【０１３３】
ＳＴ２０６において、印刷される受信印刷データに分割印刷の指定があるか否か（即ち、印刷される受信印刷データに分割印刷指定データが含まれているか否か）を判別する。イエス（Ｙ）の場合はＳＴ２０７に移り、ノー（Ｎ）の場合はＳＴ２０９に移る。
ＳＴ２０７において、元画像が分割して印刷される各印刷用紙の画像記録領域を演算し、貼合位置情報の処理を行い、各印刷用紙に印刷される分割画像データを作成しプリンタＰｒに送信する分割印刷処理（後述の図２６のサブルーチン参照）が実行され、ＳＴ２０８に移る。
ＳＴ２０８において、プリンタサーバの電源がオフになったか否かを判別する。イエス（Ｙ）の場合はプリンタサーバにおける処理を終了し、ノー（Ｎ）の場合はＳＴ２０２に戻り、クライアントパソコンＰＣ等からの入力（送信用印刷データの受信）や、プリンタサーバＰＳの入力装置（キーボードＤ３やマウスＤ４）によるユーザの入力を待つ。
【０１３４】
ＳＴ２０９において、画像サイズ（元画像サイズ）に対応する印刷用紙が使用可能であるか否かを判別する。例えば、元画像がＡ３サイズである場合に、Ａ３の印刷用紙が使用可能であるか否か（プリンタＰｒでＡ３が使用可能な用紙として認識されているか、給紙トレイの用紙が無くなっていないか等）を判別する。イエス（Ｙ）の場合はＳＴ２１０に移り、ノー（Ｎ）の場合はＳＴ２１１に移る。
ＳＴ２１０において、画像サイズに応じた印刷画像データが作成されプリンタに送信される。即ち、画像サイズに対応する印刷用紙が使用可能であるので、分割印刷されず通常の印刷が行われる。この印刷画像データを受信したプリンタＰｒでは、画像サイズに対応する印刷用紙に受信した印刷画像データが印刷される。そしてＳＴ２０８に移る。
ＳＴ２１１において、次の処理（１）、（２）が実行される。
（１）印刷対象の受信印刷データをエラージョブとして登録する。
（２）受信印刷データをエラージョブ用メモリに記憶する。
即ち、画像サイズに対応する印刷用紙が使用できず、印刷が実行できないので、印刷対象の受信印刷データをエラージョブとして印刷しないよう処理し、保持ジョブにリストされている次の受信印刷データの印刷処理を実行する。
そしてＳＴ２０８に移る。
【０１３５】
ＳＴ２１２において、メイン画面２７において、ジョブ保持の指定がされた受信印刷データまたはエラージョブに登録された受信印刷データのうち、ユーザが指定した作業対象ジョブ（後述のＳＴ２１８参照）の「印刷開始」（図７の作業アイコン表示画像２７ｆ参照）が選択されたか否かを判別する。イエス（Ｙ）の場合はＳＴ２０６に移り、ノー（Ｎ）の場合はＳＴ２１３に移る。
ＳＴ２１３において、メイン画面２７において、作業対象ジョブの「分割印刷設定」が選択されたか否かを判別する。イエス（Ｙ）の場合はＳＴ２１４に移り、ノー（Ｎ）の場合はＳＴ２１５に移る。
ＳＴ２１４において、プリンタサーバＰＳのディスプレイＤ２に分割印刷設定画面１が表示され、前記図８のクライアントパソコンＰＣの印刷設定処理のＳＴ８の分割設定処理（前記図９のサブルーチン）と同様の分割設定処理が作業対象ジョブに対して実行される（詳細な説明は省略する）。そしてＳＴ２０２に戻る。
【０１３６】
ＳＴ２１５において、作業対象ジョブの「ジョブ消去」が選択されたか否かを判別する。イエス（Ｙ）の場合は、ＳＴ２１６に移り、ノー（Ｎ）の場合はＳＴ２１７に移る。
ＳＴ２１６において、作業対象ジョブの受信印刷データを消去する。即ち、ジョブ保持の指定がされた印刷データの消去が選択された場合、ジョブ保持用メモリの受信印刷データが消去され、エラージョブの消去が選択された場合、エラージョブ用メモリの受信印刷データが消去される。そしてＳＴ２０２に戻る。
ＳＴ２１７において、メイン画面２７において、保持ジョブ表示画像２７ｄまたはエラージョブ表示画像２７ｅにリスト表示されたジョブのいずれかを指定する入力があったか否かを判別する。イエス（Ｙ）の場合はＳＴ２１８に移り、ノー（Ｎ）の場合はＳＴ２０２に戻る。
ＳＴ２１８において、指定されたジョブを作業対象ジョブとして記憶し、メイン画面２７の表示を更新する。
【０１３７】
したがって、前記ＳＴ２１２〜ＳＴ２１８の処理によって、ジョブ保持の指定があったジョブ（受信印刷データ）やエラージョブに対して、分割印刷の設定や印刷の開始、ジョブの消去等の作業をプリンタサーバＰＳで実行することができる。なお、全てのクライアントパソコンＰＣ等で分割設定処理が実行できる場合や、プリンタサーバＰＳで分割印刷設定をしなくても良い場合は、前記ＳＴ２１１３、ＳＴ２１４の処理を設ける必要はない。また、プリンタサーバＰＳで分割印刷の設定やその他の設定等を行わない等の理由でジョブの保持をしなくても良い場合、ＳＴ２０３，ＳＴ２０４等の処理を省略することもできる。
【０１３８】
（分割印刷処理のサブルーチンの説明）
図２６は前記図２５のプリンタサーバの処理における分割印刷処理のサブルーチンのフローチャートである。
図２６のＳＴ２２１において、両面印刷が指定されているか否か（受信印刷データに両面印刷指定データが含まれているか否か）を判別する。ノー（Ｎ）の場合はＳＴ２２２に移り、イエス（Ｙ）の場合はＳＴ２２３に移る。
ＳＴ２２２において、片面印刷指定の受信印刷データの印刷パラメータ（倍率ａ、使用印刷用紙設定サイズ（使用用紙サイズ）、印刷用紙使用枚数設定値（分割数）、重ね合わせ順序（重なり順）、糊代幅、糊代位置、重なり順番号等）を読み取り、ＳＴ２２６に移る。
ＳＴ２２３において、両面印刷指定の受信印刷データの印刷パラメータ（倍率ａ、使用印刷用紙設定サイズ（使用用紙サイズ）、印刷用紙使用枚数設定値（分割数）、重ね合わせ順序（重なり順）、糊代幅、綴じ位置等）を読み取り、ＳＴ２２４に移る。なお、このとき、裏面側の印刷パラメータのうち、使用用紙サイズ、分割数、糊代幅、綴じ位置のいずれか又は全てが設定されていない場合、表面側の印刷パラメータと同じ値に自動的に設定する。また、裏面の重なり順が設定されていない場合、前記図２２の表裏対応テーブルから裏面の重なり順及び重なり順番号を自動設定する。
【０１３９】
ＳＴ２２４において、上綴じが指定されているか否かを判別する。イエス（Ｙ）の場合はＳＴ２２５に移り、ノー（Ｎ）の場合はＳＴ２２６に移る。
ＳＴ２２５において、両面印刷時で上綴じの場合、裏面になる元画像及び仕上がり用紙のデータ（例えば、偶数ページの画像データ）を上下１８０°回転させる。そして、ＳＴ２２６に移る。
ＳＴ２２６において、仕上がり用紙表面の各印刷用紙の画像記録領域を演算して設定するための画像記録領域設定処理（後述の図２７のサブルーチン参照）を実行する。そしてＳＴ２２７に移る。
ＳＴ２２７において、ＳＴ２２６で印刷用紙毎に設定された表面の画像記録領域に表面側分割画像データが割り付けられ、割り付けられた分割画像データを作成し（ビットマップデータを作成し）、表面側分割印刷用ページメモリに展開して記憶する。そしてＳＴ２２８に移る。
【０１４０】
ＳＴ２２８において、両面印刷が指定されているか否かを判別する。即ち、裏面の画像記録領域の設定及び分割画像データの作成が必要が否かを判別する。イエス（Ｙ）の場合はＳＴ２２９に移り、ノー（Ｎ）の場合はＳＴ２３１に移る。ＳＴ２２９において、裏面の画像データに対して、前記ＳＴ２２６と同様に画像記録領域設定処理（後述の図２７のサブルーチン参照）を実行する。そして、ＳＴ２３０に移る。
ＳＴ２３０において、裏面の画像データに対して、前記ＳＴ２２７と同様に裏面側分割画像データを割り付け、割り付けられた分割画像データを作成し、裏面側分割印刷用ページメモリに展開して記憶する。そしてＳＴ２３１に移る。
【０１４１】
ＳＴ２３１において、前記図２４の貼合位置情報設定処理で設定された貼合位置情報付与指定が「有り」か否かを判別する。イエス（Ｙ）の場合はＳＴ２３２に移り、ノー（Ｎ）の場合はＳＴ２３３に移る。
ＳＴ２３２において、画像記録領域が設定された各分割画像データの糊代領域に貼付け位置情報を付与する処理である貼合位置情報付与処理（後述の図２８のサブルーチン参照）を実行して、ＳＴ２３３に移る。
ＳＴ２３３において、各印刷用紙の表面（両面印刷時は表面及び裏面）のページメモリに展開された分割画像データをプリンタＰｒに送信する。そして、分割印刷処理を終了して、図２５のプリンタサーバＰＳの処理のＳＴ２０７に戻る。
【０１４２】
なお、前記分割画像データを受信したプリンタＰｒは、使用印刷用紙設定サイズの印刷用紙に前記分割画像を印刷する。前記ＳＴ２２１〜ＳＴ２３３の分割印刷処理では、分割された全てのページに対する分割印刷画像データを作成した後、一括してプリンタＰｒに送信しているが、画像記録領域の設定及び貼合位置情報の付与の処理をした１ページ分の分割印刷画像データを作成する度にプリンタＰｒに送信するよう構成することも可能である。また、実施の形態１では、両面印刷時は表面の分割画像データを作成した後、裏面の分割画像データを作成しているが、印刷されるページの順番に従って、重なり順番号１番目の表面→重なり順番号４番目（４分割の場合）の裏面→重なり順番号２番目の表面→重なり順番号３番目の裏面→…の順に分割画像データを作成し、その都度プリンタＰｒに送信するよう構成することも可能である。
【０１４３】
（画像記録領域設定処理のサブルーチンの説明）
図２７は前記図２６の分割印刷処理における画像記録領域設定処理のサブルーチンのフローチャートである。
図２７のＳＴ２４１において、重なり順番号に基づいて、使用印刷用紙に用紙番号Ｎｙを付与する。例えば、印刷用紙を４枚使用する場合（４枚で分割印刷する場合）、重なり順番号１の使用印刷用紙の用紙番号を１とし、重なり順番号４の使用用紙の用紙番号を４とする。そして、ＳＴ２４２に移る。
ＳＴ２４２において、全使用印刷用紙に対して、画像記録領域の縦・横の幅として、使用印刷用紙サイズの縦・横の幅を設定する。例えば、使用印刷用紙がＡ４である場合、画像記録領域の縦の幅として２１０ｍｍ（Ａ４サイズの短辺長さ）を初期設定し、画像記録領域の横の幅として２９７ｍｍ（Ａ４サイズの長辺長さ）を初期設定する。そして、ＳＴ２４３に移る。
【０１４４】
ＳＴ２４３において、幅決定対象用紙（画像記録領域の幅を決定する印刷用紙）として用紙番号Ｎｙ＝１の印刷用紙を設定する。そしてＳＴ２４４に移る。
ＳＴ２４４において、幅決定対象用紙の幅決定対象方向（画像記録領域の幅を決定する方向）として上方向を設定する。そしてＳＴ２４５に移る。
ＳＴ２４５において、幅決定対象方向に重なる用紙があるか否かを判別する。イエス（Ｙ）の場合はＳＴ２４６に移り、ノー（Ｎ）の場合はＳＴ２４８に移る。
ＳＴ２４６において、幅決定対象方向に重なる用紙の用紙番号が幅決定対象用紙の用紙番号Ｎｙより小さいか否かを判別する。即ち、重なる用紙が幅決定対象用紙の上に重なるか否かを判別する。イエス（Ｙ）の場合はＳＴ２４７に移り、ノー（Ｎ）の場合はＳＴ２４８に移る。
ＳＴ２４７において、幅決定対象用紙が下に重なるので、幅決定対象用紙の画像記録領域に対し、幅決定対象方向から糊代幅分（幅決定対象方向が上方向又は下方向の場合、上下方向糊代幅）を差し引いた領域を新たな画像記録領域として設定する。このとき、幅決定対象用紙の幅決定対象方向には、糊代幅分の糊代領域があることが記憶される。そして、ＳＴ２４８に移る。
【０１４５】
ＳＴ２４８において、幅決定対象方向を右に隣接する方向に変更する。例えば、現在の幅決定対象方向が「上方向」の場合は「右方向」に変更し、「右方向」の場合は「下方向」に変更する。そして、ＳＴ２４９に移る。
ＳＴ２４９において、幅決定対象方向が「上方向」であるか否かを判別する。イエス（Ｙ）の場合はＳＴ２５０に移り、ノー（Ｎ）の場合はＳＴ２４５に戻る。
ＳＴ２５０において、幅決定対象用紙に用紙番号Ｎｙ＝Ｎｙ＋１の用紙を設定する。そして、ＳＴ２５１に移る。
ＳＴ２５１において、用紙番号Ｎｙが分割数（印刷用紙使用枚数設定値）よりも大きいか否かを判別する。ノー（Ｎ）の場合はＳＴ２４４に戻り、イエス（Ｙ）の場合は画像記録領域設定処理を終了して、前記図２６のＳＴ２２６又はＳＴ２２９に戻る。
【０１４６】
したがって、前記ＳＴ２４１〜ＳＴ２５１の画像記録領域設定処理によって、分割印刷時に使用される各印刷用紙の上方向、右方向、下方向及び左方向に糊代があるか否かが判別され、糊代がある場合は画像記録領域が糊代幅分差し引かれる。そして、両面印刷の場合、表面及び裏面それぞれに対してＳＴ２４１〜ＳＴ２５１の処理が行われ、表面及び裏面それぞれに対して画像記録領域の設定が行われる。
【０１４７】
（貼合位置情報付与処理のサブルーチンの説明）
図２８は、前記図２６の分割印刷処理における貼合位置情報付与処理のサブルーチンのフローチャートである。
図２８のＳＴ２６１において、前記ＳＴ２４１と同様に、重なり順番号に基づいて、全使用印刷用紙に用紙番号Ｎｙを付与する。そしてＳＴ２６２へ移る。
ＳＴ２６２において、貼合位置情報付与判別用紙として用紙番号Ｎｙ＝１の用紙を設定し、ＳＴ２６３に移る。
ＳＴ２６３において、貼合位置情報付与判別方向（貼合位置情報を付与するか否かを判別する方向）を上方向に設定し、ＳＴ２６４に移る。
ＳＴ２６４において、前記付与判別方向に重なる用紙があるか否かを判別する。イエス（Ｙ）の場合はＳＴ２６４に移り、ノー（Ｎ）の場合はＳＴ２７６に移る。
【０１４８】
ＳＴ２６５において、判別用紙の用紙番号Ｎｙが、判別方向に重なる用紙の用紙番号よりも小さいか否かを判別する。ノー（Ｎ）の場合はＳＴ２６６に移り、イエス（Ｙ）の場合はＳＴ２６７に移る。
ＳＴ２６６において、貼合位置情報を付与する貼合位置情報付与面を表面に設定する。即ち、判別用紙の用紙番号Ｎｙが大きいので、判別用紙は下に重なるため、判別用紙の表面に形成される糊代領域（前記図２７の処理で設定済み）に貼合位置情報を付与するよう設定する。そしてＳＴ２７０に移る。
ＳＴ２６７において、貼合位置情報を付与する貼合位置情報付与面を裏面に設定する。即ち、判別用紙の用紙番号Ｎｙが小さいので、判別用紙は上に重なるため、判別用紙の裏面に形成される糊代領域に貼合位置情報を付与するよう設定する。そしてＳＴ２６８に移る。
【０１４９】
ＳＴ２６８において、裁断位置情報を印刷する指定があるか否かを判別する。イエス（Ｙ）の場合はＳＴ２６９に移り、ノー（Ｎ）の場合はＳＴ２７０に移る。
ＳＴ２６９において、判別用紙の表面に裁断位置情報を付与する。実施の形態１では、前記図２７の画像記録領域設定処理で設定された表面の画像記録領域に対して、画像記録領域の付与判別方向の境界（糊代領域との境界）に沿った線を裁断線（前記裁断位置情報）として印刷する。したがって、ユーザは印刷された裁断線に沿って切断することができる。そして、ＳＴ２７０に移る。
【０１５０】
ＳＴ２７０において、重ね合わせ部分識別番号を付与する指定があるか否かを判別する。イエス（Ｙ）の場合はＳＴ２７１に移り、ノー（Ｎ）の場合はＳＴ２７１に移る。
ＳＴ２７１において、貼合位置情報付与面の付与判別方向の糊代領域に、重ね合わせ部分識別番号（前記ＳＴ１１２で設定された識別番号）を付与する。そしてＳＴ２７２に移る。
ＳＴ２７２において、重ね合わせ部分識別線を付与する指定があるか否かを判別する。イエス（Ｙ）の場合はＳＴ２７３に移り、ノー（Ｎ）の場合はＳＴＳ７４に移る。
ＳＴ２７３において、貼合位置情報付与面の付与判別方向の糊代領域に、重ね合わせ部分識別線（後述の図２９等参照）を付与する。実施の形態１では、貼合位置情報付与面が表面に設定されている場合、画像記録領域の境界から所定の幅（例えば５ｍｍ等）の位置に破線を印刷し、貼合位置情報付与面が裏面に設定されている場合、付与判別方向の印刷用紙の端（裁断線が設定されている場合は、裁断線）から前記所定の幅の位置に破線を印刷するように設定される。前記所定の幅の値は任意に変更可能であり、糊代幅に応じて自動設定されるよう構成することも可能である。また、識別線は破線に限定されず、さらに、識別線は全幅に渡って形成しなくてもよい。そしてＳＴ２７４に移る。
【０１５１】
ＳＴ２７４において、表面位置情報の付与の指定があるか否かを判別する。イエス（Ｙ）の場合はＳＴ２７５に移り、ノー（Ｎ）の場合はＳＴ２７６に移る。
ＳＴ２７５において、付与判別用紙の表面の付与判別方向に表面位置情報を付与する。実施の形態１では、画像記録領域と糊代領域との境界に沿った境界線分（後述の図３５の符号３４ａ参照）と、前記境界線分と直交する直交線分（後述の図３５の符号３４ｂ参照）とを有する十字型の表面位置情報（後述の図３５の符号３４参照）を印刷する。なお、実施の形態１では、画像形成領域内に前記直交線分が印刷される場合があるが、これを防止するために、画像記録領域内の糊代領域に隣接する部分において画像が形成されない領域（白紙の領域）を判別して（判別方法は前記特許文献１等参照）、非画像形成領域に前記表面位置情報を印刷するよう構成することも可能である。そして、ＳＴ２７６に移る。
ＳＴ２７６において、前記ＳＴ２４８と同様に、付与判別方向を右に隣接する方向に設定し、ＳＴ２７７に移る。
ＳＴ２７７において、設定されている付与判別方向が上方向か否かを判別する。ノー（Ｎ）の場合はＳＴ２６４に戻り、イエス（Ｙ）の場合はＳＴ２７８に移る。
【０１５２】
ＳＴ２７８において、レイアウト位置情報を付与する指定があるか否かを判別する。イエス（Ｙ）の場合はＳＴ２７９に移り、ノー（Ｎ）の場合はＳＴ２８０に移る。
ＳＴ２７９において、仕上がり用紙全体に対する付与判別用紙の位置を示すレイアウト位置情報を作成し、付与判別用紙の糊代領域にレイアウト位置情報を付与する。実施の形態１では、付与判別用紙の表面または裏面の右下、左下、右上、左上の順に糊代領域があるか否かを判別し、糊代領域が存在する部分にレイアウト位置情報を付与する（この処理のフローチャートは省略する）。なお、レイアウト位置情報は糊代領域ではなく、例えば、裁断される領域に形成することもできる。そして、ＳＴ２８０に移る。
【０１５３】
ＳＴ２８０において、付与判別用紙を用紙番号Ｎｙの印刷用紙からＮｙ＋１の印刷用紙に変更し、ＳＴ２８１に移る。
ＳＴ２８１において、用紙番号Ｎｙが用紙枚数より多いか否かを判別する。即ち、残りページがあるか否かを判別する。ノー（Ｎ）の場合はＳＴ２６３に戻り、イエス（Ｙ）の場合は貼合位置情報付与処理を終了し、前記図２６の分割印刷処理のＳＴ２３２に戻る。
【０１５４】
したがって、前記ＳＴ２６１〜ＳＴ２８１の貼合位置情報付与処理によって、分割印刷時に使用される各印刷用紙の上方向、右方向、下方向及び左方向に重なる用紙があるか否か、即ち、前記図２７の画像記録領域設定処理で糊代が設定されているか否かが判別される。糊代がある場合はユーザの指定に応じて、裁断位置情報や重ね合わせ部分識別番号、重ね合わせ部分識別線、表面位置情報、レイアウト位置情報が付与される。
【０１５５】
（実施の形態１の作用）
前記構成を備えた実施の形態１の印刷処理システムＳでは、クライアントパソコンＰＣで分割印刷の設定がされた場合、印刷パラメータが含まれる送信用印刷データがプリンタサーバＰＳに送信される。前記送信用印刷データを受信したプリンタサーバＰＳでは、前記印刷パラメータに基づいて、印刷用紙毎に画像記録領域が設定され、各貼合位置情報が付与された後、貼合位置情報と画像記録領域に応じて分割画像データが作成されプリンタＰｒに送信される。
また、分割印刷の設定がされず、分割印刷用の印刷パラメータを含まない送信用印刷データをプリンタサーバＰＳが受信した場合でも、送信時にジョブ保持の指定等をすることにより、プリンタサーバＰＳの入力装置によって分割印刷の設定を行い、分割印刷用の印刷パラメータを含む受信印刷データを作成することができる。そして、プリンタサーバＰＳでは、前記受信印刷データの印刷パラメータに基づいて、印刷用紙毎に画像記録領域及び貼合位置情報が設定され、画像記録領域に応じて元画像が分割された分割画像データが作成されプリンタＰｒに送信される。
【０１５６】
前記分割画像データを受信したプリンタＰｒは、前記分割画像データを使用印刷用紙設定サイズの印刷用紙に印刷する。そして、前記印刷された画像印刷用紙に印刷された貼合位置情報を参照することによって、ユーザは分割画像印刷用紙どうしの位置関係を容易に理解することができる。そして、分割画像印刷用紙に印刷された貼合位置情報を参照しながら糊代で貼り合わせることによって、精確に貼り合せることができ、分割印刷設定画面１で設定した元画像Ｇまたは倍率乗算画像Ｇ′を精確に再現することができる。また、前記貼合位置情報（表面位置情報を除く）は、糊代領域に印刷されているため、分割画像印刷用紙を貼り合せた状態では表面に露出しないので、貼合位置情報が印刷された部分を裁断した後貼り合せなければならない等の手間を省くことができる。したがって、貼り合せ作業を短縮することができ、貼合位置情報が印刷された部分を裁断することによる無駄な用紙の発生を防止することができる。
【０１５７】
また、前記実施の形態１の印刷処理システムＳでは、実際に印刷する前に、クライアントパソコンＰＣ又はプリンタサーバＰＳのディスプレイＨ２、Ｄ２に表示される分割印刷設定画面１の表示を確認しながら、貼合位置情報の付与の指定や、使用印刷用紙サイズや分割数、糊代幅や倍率ａ、重ね合わせ順序や仕上がり用紙サイズ等の印刷パラメータを調整することができる。さらに、倍率ａの自動設定により画像を拡大又は縮小したり、余白を最小にする自動設定により糊代幅を自動的に調節することによって、仕上がり用紙において余白を無くす又は少なくすることができ、余白を裁断する手間や用紙の無駄を無くすことができる。したがって、作業効率が高まり、コストを抑えることもできる。
【０１５８】
また、両面印刷時には、表面および裏面のそれぞれに対し画像記録領域を演算して設定するので、画像が印刷された用紙を貼り合わせた時に表面及び裏面の画像が連続するよう印刷することができる。また、上下綴じの場合、画像データを回転した後に画像記録領域の設定及び分割画像データの割付を行うので、上下綴じの場合でも表面及び裏面で画像が連続するように印刷することができ、綴じられた仕上がり用紙束を見開いた時に、印刷された画像の上下を元画像の上下に一致させることができる。
また、ＳＴ２２３の処理のように、裏面の印刷パラメータの設定がされていない場合、表面側の印刷パラメータの各設定値に基づいて裏面側の各設定値が自動的に設定されるので、作業効率が高まる。また、使用印刷用紙サイズ設定値や使用印刷用紙枚数設定値、重ね合わせ順序、糊代幅等が、表面側と裏面側で矛盾することを防止できる。
【０１５９】
（実施の形態１の具体例１）
図２９は、実施の形態１の各処理によって印刷された分割画像印刷用紙の説明図であり、図２９Ａは重なり順番号１番目の画像印刷用紙の表面の説明図、図２９Ｂは重なり順番号１番目の画像印刷用紙の裏面の説明図、図２９Ｃは重なり順番号２番目の画像印刷用紙の表面の説明図、図２９Ｂは重なり順番号２番目の画像印刷用紙の裏面の説明図である。
前記図５の貼合位置情報設定画面２１において、重ね合わせ部分識別番号を「付ける」、重ね合わせ部分識別線を「付ける」、裁断位置を「印刷しない」、レイアウト情報を「付けない」、表面側重ね合わせ識別マーク（表面位置情報）を「付けない」を指定し、図１６に示す分割印刷設定画面１において倍率自動を選択した後（倍率は前記図１１に示すように９６％に自動設定された後）に、印刷を実行すると、前記分割印刷処理によって、図２９に示す分割画像が印刷される。
【０１６０】
即ち、図２９Ａ、図２９Ｂに示すように、重なり順番号１の印刷用紙の表面は前面が画像記録領域となり（図２７の画像記録領域設定処理参照）、裏面に重ね合わせ部分識別番号３１と重ね合わせ部分識別線３２とが印刷される。また、図２９Ｃ、図２９Ｄに示すように、重なり順番号２の印刷用紙の表面は、左端が糊代領域となり、糊代幅分画像記録領域が狭く設定される（図２７のＳＴ２４６，ＳＴ２４７参照）。そして、この糊代領域に、重ね合わせ部分識別番号３１と重ね合わせ部分識別線３２とが印刷される。
【０１６１】
図３０は前記図２９の分割画像印刷用紙を糊代位置で貼り合せた後の仕上がり用紙の説明図である。
したがって、図２９Ｂの裏面に印刷された重ね合わせ部分識別番号３１と、図２９Ｃの表面に印刷された重ね合わせ部分識別番号３１とを参照することによって、重ね合わされる部分を理解することができる。そして、前記図２９Ｂの重ね合わせ部分識別線３２と、図２９Ｃの重ね合わせ部分識別線３２とを参照して、重ね合わせ部分識別線３２が一致するように分割画像印刷用紙を重ね合わせて貼り合せることによって、図３０に示すように、画像がずれることなく精確に貼り合せることができる。
【０１６２】
（実施の形態１の具体例２）
図３１は、実施の形態１の具体例２の印刷対象の画像の説明図であり、図３１Ａは分割される前の元画像の説明図、図３１Ｂは分割画像印刷用紙を貼り合せた仕上がり用紙の説明図である。
図３２は、前記図３１Ａの元画像を分割して印刷した分割画像印刷用紙の説明図であり、図３２Ａは重なり順番号１の分割画像印刷用紙の表面の説明図、図３２Ｂは重なり順番号１の分割画像印刷用紙の裏面の説明図、図３２Ｃは重なり順番号２の分割画像印刷用紙の表面の説明図、図３２Ｄは重なり順番号２の分割画像印刷用紙の裏面の説明図である。
図３３は、前記図３１Ａの元画像を分割して印刷した分割画像印刷用紙の説明図であり、図３３Ａは重なり順番号３の分割画像印刷用紙の表面の説明図、図３３Ｂは重なり順番号３の分割画像印刷用紙の裏面の説明図、図３３Ｃは重なり順番号４の分割画像印刷用紙の表面の説明図、図３３Ｄは重なり順番号４の分割画像印刷用紙の裏面の説明図である。
【０１６３】
図３１Ａに示す元画像サイズＡ２の元画像に対して、重ね合わせ部分識別番号を「付ける」、重ね合わせ部分識別線を「付ける」、裁断位置を「印刷しない」、レイアウト情報を「付けない」、表面側重ね合わせ識別マーク（表面位置情報）を「付けない」を指定し、倍率１００％、印刷用紙サイズＢ４、分割数４、余白最小を選択（糊代幅が前記図１５に示すように上下９４ｍｍ、左右１３４ｍｍに自動設定される）の印刷パラメータで印刷すると、図３２、図３３に示す分割画像印刷用紙が得られる。したがって、前記各分割画像印刷用紙に印刷された重ね合わせ部分識別番号３１を参照することによって、どの糊代領域がどの糊代領域に貼り合されるのかをユーザが容易に認識することができる。そして、各糊代領域の重ね合わせ部分識別線３２どうしが一致するように重ね合わせて貼り合せることによって、精確に貼り合わされた図３２Ｂに示す仕上がり用紙が得られ、元画像（図３１Ａ）または倍率乗算画像Ｇ′を精確に再現することができる。
【０１６４】
（実施の形態１の具体例３）
図３４は、縁有り印刷時の２分割された分割画像印刷用紙の説明図であり、図３４Ａは左側の分割画像が印刷された分割画像印刷用紙の説明図であり、図３４Ｂは右側の分割画像が印刷された分割画像印刷用紙の説明図である。
図３５は、前記図３４の縁有り印刷時の分割画像印刷用紙において貼合位置情報の指定を有りにした場合の分割画像印刷用紙の説明図であり、図３５Ａは左側の分割画像が印刷された分割画像印刷用紙の表面の説明図、図３５Ｂは左側の分割画像が印刷された分割画像印刷用紙の裏面の説明図、図３５Ｃは右側の分割画像が印刷された分割画像印刷用紙の表面の説明図である。
図３６は、前記図３５の分割画像印刷用紙を裁断後貼り合せて形成される仕上がり用紙の説明図である。
【０１６５】
前記プリンタＰｒが縁なし印刷に対応していない等の理由により印刷用紙の端部に縁（縁領域）が形成される場合、元画像を分割して印刷すると、上に重なる用紙の縁（余白）を画像記録領域に沿って裁断した後でなければ、貼り合せ後の仕上がり用紙において、上側用紙（上側に重なる分割画像印刷用紙）の縁領域が下側用紙（下側に重なる分割画像印刷用紙）の画像記録領域の上に重なってしまい、画像が不連続になってしまう。即ち、図３４において、重なり順番号１の左側の分割画像印刷用紙（図３４Ａ）を重なり順番号２の右側の分割画像印刷用紙（図３４Ｂ）の上に重ねる場合、左側の分割画像印刷用紙の右端の縁を裁断しない場合、分割画像印刷用紙どうしを貼り合せても縁領域のために左右の分割画像印刷用紙に形成された画像が連続しない。
【０１６６】
したがって、前記縁領域が形成される場合において、重ね合わせ部分識別番号を「付けない」、重ね合わせ部分識別線を「付ける」、裁断位置を「印刷する」、レイアウト情報を「付けない」、表面側重ね合わせ識別マーク（表面位置情報）を「付けない」、を指定して印刷した場合、図３５Ａに示すように、上に重なる重なり順番号１の左側の分割画像印刷用紙の画像記録領域の右方向の境界に沿って裁断線（裁断位置情報、貼合位置情報）３３が印刷される（前記図２８のＳＴ２６９参照）。そして、左側の分割画像印刷用紙の裏面には、裁断線から所定幅の位置に重ね合わせ部分識別線３２が印刷される。したがって、前記裁断線３３に沿って縁領域（余白）を裁断した後、重ね合わせ部分識別線どうしが一致するように重ね合わせ貼り合せることで、図３６に示す仕上がり用紙を得ることができ、縁によって画像が不連続になることが防止でき且つ精確に貼り合せることができる。
【０１６７】
（実施の形態１の具体例４）
図３７は、縁有り印刷時の２分割された分割画像印刷用紙の説明図であり、図３７Ａは左側の分割画像が印刷された分割画像印刷用紙の説明図であり、図３７Ｂは右側の分割画像が印刷された分割画像印刷用紙の説明図である。
図３８は、前記図３７の縁有り印刷時の分割画像印刷用紙において貼合位置情報の指定を有りにした場合の分割画像印刷用紙の説明図であり、図３８Ａは左側の分割画像が印刷された分割画像印刷用紙の表面の説明図、図３８Ｂは左側の分割画像が印刷された分割画像印刷用紙の裏面の説明図、図３８Ｃは右側の分割画像が印刷された分割画像印刷用紙の表面の説明図である。
図３９は、前記図３８の分割画像印刷用紙を裁断後貼り合せて形成される仕上がり用紙の説明図である。
【０１６８】
実施の形態１の具体例３と同様の縁領域が形成される場合において、印刷される画像が画像記録領域の下側に偏り、上側に画像が印刷されない領域がある図３４に示す元画像に対して、重ね合わせ部分識別番号を「付けない」、重ね合わせ部分識別線を「付ける」、裁断位置を「印刷する」、レイアウト情報を「付けない」、表面側重ね合わせ識別マーク（表面位置情報）を「付ける」、を指定して印刷した場合、図３５Ａに示す重なり順番号１の左側の分割画像印刷用紙の表面には、前記裁断線３３が印刷されると共に、境界線分３４ａと直交線分３４ｂとを有する表面側重ね合わせ識別マーク（表面位置情報）３４が印刷される（図２８のＳＴ２７５参照）。また、図３５Ｃに示す右側の分割画像印刷用紙の表面にも、前記表面側重ね合わせ識別マーク３４が印刷される。また、図３５Ｂ及び図３５Ｃに示すように、重ね合わせ部分識別線３２がそれぞれ印刷される。
【０１６９】
したがって、前記裁断線３３に沿って縁（余白）を裁断した後、左右の表面側重ね合わせ識別マーク３４の直交線分３４ｂが連続し且つ境界線分３４ａ及び重ね合わせ部分識別線どうしが一致するように重ね合わせ貼り合せることで、図３９に示す仕上がり用紙を得ることができ、精確に貼り合せることができ且つ縁によって画像が不連続になることを防止できる。なお、実施の形態１では、前記表面側重ね合わせ識別マーク３４を印刷する位置は、前記分割印刷設定画面１に表示し、ユーザがマウスＨ４，Ｄ４等で操作することによって重ね合わせ部分の自由な位置に設定することができる。
【０１７０】
（実施の形態１の具体例５）
図４０はレイアウト位置情報を付与する指定をした場合の説明図であり、図４０Ａは仕上がり画像の説明図、図４０Ｂは図４０Ａにおいて円で囲まれる部分の分割画像印刷用紙の拡大説明図、図４０Ｃは図４０Ｂの分割画像印刷用紙に印刷されたレイアウト位置情報の拡大説明図である。
図４０Ａに示すように、縦４分割、横３分割される元画像を印刷する際に、重ね合わせ部分識別番号を「付けない」、重ね合わせ部分識別線を「付ける」、裁断位置を「印刷しない」、レイアウト情報を「付ける」、表面側重ね合わせ識別マーク（表面位置情報）を「付けない」、を指定した場合、例えば、左から２番目、上から２番目に配置される分割画像印刷用紙には、図４０Ｂに示すように、糊代領域に重ね合わせ部分識別線３２とレイアウト位置３６が印刷される。したがって、前記レイアウト位置３６を参照することによって、ユーザが印刷された用紙を見た時に、全体に対する当該用紙の配置位置を容易に判別することができる。そして、重ね合わされる分割画像印刷用紙の重ね合わせ部分識別線が一致するように貼り合せることによって、精確に貼り合せることができ、元画像を再現することができる。
【０１７１】
（変更例）
以上、本発明の実施の形態を詳述したが、本発明は、前記実施の形態に限定されるものではなく、特許請求の範囲に記載された本発明の要旨の範囲内で、種々の変更を行うことが可能である。本発明の変更例を下記に例示する。
（Ｈ０１）前記実施の形態において、クライアントパソコンＰＣにおいて分割設定処理を実行せず、プリンタサーバＰＳのみで分割設定処理を実行するよう構成することも可能である。また、逆に、ワークステーションＷＳやデータベースサーバＤＢＳ等で分割設定処理を実行可能に構成することも可能である。
（Ｈ０２）前記実施の形態において、前記プリンタサーバＰＳの分割印刷処理等の全ての処理をクライアントパソコンＰＣで実行可能に構成し、プリンタサーバＰＳを省略して、クライアントパソコンＰＣにプリンタを直接接続するよう構成することも可能である。
【０１７２】
（Ｈ０３）前記実施の形態において、プリンタサーバＰＳにおけるＳＴ２０６〜ＳＴ２１０等の印刷処理をプリンタＰｒで実行し、その他のプリンタサーバＰＳの処理をクライアントパソコンＰＣで実行するよう構成することによってプリンタサーバＰＳを省略することも可能である。
（Ｈ０４）前記実施の形態において、印刷パラメータ設定プログラムＰ１や印刷データ作成プログラムＰ２は、ハードディスクドライブ以外のコンピュータが読取り可能な記憶媒体（光磁気ディスク装置、光ディスク装置、磁気ディスク装置あるいはメモリスロット等）に記憶したり、可搬型の記録媒体（フレキシブルディスクや光磁気ディスク、光ディスク、磁気ディスク、フラッシュメモリ等）に記憶することも可能である。また、例えばネットワークなどの通信手段を介して各プログラムをクライアントパソコンＰＣ等に転送し、クライアントパソコンＰＣ内の記憶媒体に格納して実行させることも可能である。
【０１７３】
（Ｈ０５）前記実施の形態において、分割印刷時に使用される印刷用紙は全て同じ用紙を使用したが、異なるサイズの用紙を混在させて使用することも可能である。例えば、図３において、重なり順番号１の用紙をＡ３とし、重なり順番号２の用紙をＢ４横２枚（この場合、重なり順番号２，３となる）に設定することも可能である。
（Ｈ０６）前記実施の形態において、両面印刷時に表面と裏面に印刷される元画像サイズは同一のものに限定されず、例えば、表面にＡ２の元画像、裏面にＢ２の元画像を配置し、仕上がり用紙サイズに応じて、表面及び裏面のいずれか一方又は両方の倍率をそれぞれ設定し、印刷するよう構成することも可能である。
（Ｈ０７）前記実施の形態において、綴じ位置は、「上下綴じ」と「左右綴じ」の２つの設定であったが、「上綴じ」、「下綴じ」、「左綴じ」、「右綴じ」を設定するよう構成することも可能である。
【０１７４】
（Ｈ０８）前記実施の形態において、重ね合わせ部分識別線は全て破線で構成されているが、重ね合わせ部分識別番号に対応して、例えば、破線（重ね合わせ部分識別番号１）、点線（重ね合わせ部分識別番号２）、一点鎖線（重ね合わせ部分識別番号３）、二点鎖線（重ね合わせ部分識別番号４）等により重ね合わせ部分識別線を構成することも可能である。このとき、重ね合わせ部分識別番号を印刷しなくても、どの糊代がどの糊代に貼り合わされるのかを重ね合わせ部分識別線の種類によって判別することもできる。
（Ｈ０９）前記実施の形態において、表面位置情報としての表面側重ね合わせ識別マーク３４は、境界線分３４ａと直交線分３４ｂとを有する十字型のマークであったが、例えば、前記境界線分３４ａのみで構成することも可能である。この場合、分割画像印刷用紙どうしを重ね合わせた時に表面に印刷された境界線分３４ａの位置が一致するように貼り合わせることによって精確に貼り合わせることができる。逆に、表面位置情報を直交線分３４ｂのみで構成することも可能であり、この場合、直交線分３４ｂどうしが直線状に接続されるように重ね合わせて貼り合わせることによって精確な位置に貼り合わせることができる。
【０１７５】
（Ｈ０１０）前記実施の形態において、表面側に印刷される表面側重ね合わせ識別マーク３４に替えて、片面印刷時に各分割画像印刷用紙の裏面に裏面側重ね合わせ識別マーク（裏面位置情報）を印刷するよう構成することも可能である。この場合、表面側重ね合わせ識別マーク３４と異なり、仕上がり用紙において表面側から裏面側重ね合わせ識別マークが見えない。
（Ｈ０１１）前記実施の形態において、重ね合わせ順序や糊代幅をユーザの入力に応じて設定可能に構成したが、常に同じ重ね合わせ順序で分割印刷されるよう構成したり、常に同じ糊代幅で画像記録領域及び糊代領域が演算されるよう構成することも可能である。
【０１７６】
【発明の効果】
前述の本発明は、下記の効果（Ｋ０１）〜（Ｋ０７）を奏することができる。
（Ｋ０１）元画像が分割されて印刷された複数の分割画像印刷用紙どうしを精確に貼り合わせることができる。
（Ｋ０２）分割画像印刷用紙どうしの位置関係をユーザが容易に判断できるようにすることができる。
（Ｋ０３）印刷用紙の端まで画像記録領域が設定できず、縁領域が形成される場合において、裁断位置情報を印刷し、前記裁断位置情報に応じて重ね合わせ部分識別線を印刷することによって、貼り合せられる分割画像印刷用紙の画像が不連続になることを防止できる。
（Ｋ０４）糊代幅を調節可能にすることによって、糊代で貼り合わせた後の仕上がり用紙において、余白を少なくすることができる。
（Ｋ０５）印刷用紙毎に画像記録領域を設定することによって、元画像を拡大又は縮小して分割印刷する際に、仕上がり用紙の余白を少なくすることができる。
（Ｋ０６）表面及び裏面それぞれの画像記録領域を設定することによって、両面印刷時に、貼り合わせた後の仕上がり用紙において、表面及び裏面の両側の画像を連続して形成することができる。
（Ｋ０７）糊代幅や倍率を適切に設定して余白を無くすことにより、余白の切断作業をなくし、用紙の切れ端等の無駄な紙の発生を無くすことができる。
【図面の簡単な説明】
【図１】図１は本発明の印刷処理システムの実施の形態１の説明図である。
【図２】図２は前記図１に示す印刷処理システムのクライアントパソコンの機能をブロック図（機能ブロック図）で示した図である。
【図３】図３は本発明の画像処理プログラムとしての印刷パラメータ設定プログラムの機能実現手段によってクライアントパソコン又はプリンタサーバのディスプレイに表示される分割印刷設定画面（片面印刷指定時）の説明図である。
【図４】図４はクライアントパソコンに組み込まれているアプリケーションプログラムの印刷開始入力画面の説明図である。
【図５】図５は、貼合位置情報設定画面の説明図である。
【図６】図６は前記図１に示す印刷処理システムのプリンタサーバ及びプリンタの機能をブロック図（機能ブロック図）で示した図である。
【図７】図７は本発明の印刷情報処理手段の機能実現手段によってプリンタサーバのディスプレイに表示されるメイン画面の説明図である。
【図８】図８は本発明の実施の形態１の印刷処理システムのクライアントパソコンにおける印刷設定処理のフローチャートである。
【図９】図９は、前記図８の印刷設定処理の分割設定処理のサブルーチンのフローチャートである。
【図１０】図１０は、本発明の画像処理プログラムとしての印刷パラメータ設定プログラムの機能実現手段によってクライアントパソコン又はプリンタサーバのディスプレイに表示される分割印刷設定画面（両面印刷指定時）の説明図である。
【図１１】図１１は倍率自動設定が選択された場合の分割印刷設定画面の説明図である。
【図１２】図１２は糊代サイズが変更された場合の分割印刷設定画面の説明図である。
【図１３】図１３は分割数が変更された場合の分割印刷設定画面の説明図である。
【図１４】図１４は重ね合わせ順序が変更された場合の分割印刷設定画面の説明図である。
【図１５】図１５は余白を最小にする選択がされた場合の分割印刷設定画面の説明図である。
【図１６】図１６は貼合位置情報の付与が指定された場合の分割印刷設定画面の説明図である。
【図１７】図１７は、前記図９の分割設定処理における倍率自動設定処理のサブルーチンのフローチャートである。
【図１８】図１８は、前記図９の分割設定処理における分割数設定処理のサブルーチンのフローチャートである。
【図１９】図１９は前記図９の分割設定処理における使用用紙変更処理のサブルーチンのフローチャートである。
【図２０】図２０は前記図９の分割設定処理における重なり順変更処理のサブルーチンのフローチャートである。
【図２１】図２１は重なり順選択画面の説明図である。
【図２２】図２２は前記図２０の重なり順変更処理において使用される表裏対応テーブルの説明図である。
【図２３】図２３は前記図９の分割設定処理における余白最小設定処理のサブルーチンのフローチャートである。
【図２４】図２４は前記図９の分割設定処理における貼合位置情報設定処理のサブルーチンのフローチャートである。
【図２５】図２５は本発明の実施の形態１の印刷処理システムのプリンタサーバにおける処理のメインフローチャートである。
【図２６】図２６は前記図２５のプリンタサーバの処理における分割印刷処理のサブルーチンのフローチャートである。
【図２７】図２７は前記図２６の分割印刷処理における画像記録領域設定処理のサブルーチンのフローチャートである。
【図２８】図２８は、前記図２６の分割印刷処理における貼合位置情報付与処理のサブルーチンのフローチャートである。
【図２９】図２９は、実施の形態１の各処理によって印刷された分割画像印刷用紙の説明図であり、図２９Ａは重なり順番号１番目の画像印刷用紙の表面の説明図、図２９Ｂは重なり順番号１番目の画像印刷用紙の裏面の説明図、図２９Ｃは重なり順番号２番目の画像印刷用紙の表面の説明図、図２９Ｂは重なり順番号２番目の画像印刷用紙の裏面の説明図である。
【図３０】図３０は前記図２９の分割画像印刷用紙を糊代位置で貼り合せた後の仕上がり用紙の説明図である。
【図３１】図３１は、実施の形態１の具体例２の印刷対象の画像の説明図であり、図３１Ａは分割される前の元画像の説明図、図３１Ｂは分割画像印刷用紙を貼り合せた仕上がり用紙の説明図である。
【図３２】図３２は、前記図３１Ａの元画像を分割して印刷した分割画像印刷用紙の説明図であり、図３２Ａは重なり順番号１の分割画像印刷用紙の表面の説明図、図３２Ｂは重なり順番号１の分割画像印刷用紙の裏面の説明図、図３２Ｃは重なり順番号２の分割画像印刷用紙の表面の説明図、図３２Ｄは重なり順番号２の分割画像印刷用紙の裏面の説明図である。
【図３３】図３３は、前記図３１Ａの元画像を分割して印刷した分割画像印刷用紙の説明図であり、図３３Ａは重なり順番号３の分割画像印刷用紙の表面の説明図、図３３Ｂは重なり順番号３の分割画像印刷用紙の裏面の説明図、図３３Ｃは重なり順番号４の分割画像印刷用紙の表面の説明図、図３３Ｄは重なり順番号４の分割画像印刷用紙の裏面の説明図である。
【図３４】図３４は、縁有り印刷時の２分割された分割画像印刷用紙の説明図であり、図３４Ａは左側の分割画像が印刷された分割画像印刷用紙の説明図であり、図３４Ｂは右側の分割画像が印刷された分割画像印刷用紙の説明図である。
【図３５】図３５は、前記図３４の縁有り印刷時の分割画像印刷用紙において貼合位置情報の指定を有りにした場合の分割画像印刷用紙の説明図であり、図３５Ａは左側の分割画像が印刷された分割画像印刷用紙の表面の説明図、図３５Ｂは左側の分割画像が印刷された分割画像印刷用紙の裏面の説明図、図３５Ｃは右側の分割画像が印刷された分割画像印刷用紙の表面の説明図である。
【図３６】図３６は、前記図３５の分割画像印刷用紙を裁断後貼り合せて形成される仕上がり用紙の説明図である。
【図３７】図３７は、縁有り印刷時の２分割された分割画像印刷用紙の説明図であり、図３７Ａは左側の分割画像が印刷された分割画像印刷用紙の説明図であり、図３７Ｂは右側の分割画像が印刷された分割画像印刷用紙の説明図である。
【図３８】図３８は、前記図３７の縁有り印刷時の分割画像印刷用紙において貼合位置情報の指定を有りにした場合の分割画像印刷用紙の説明図であり、図３８Ａは左側の分割画像が印刷された分割画像印刷用紙の表面の説明図、図３８Ｂは左側の分割画像が印刷された分割画像印刷用紙の裏面の説明図、図３８Ｃは右側の分割画像が印刷された分割画像印刷用紙の表面の説明図である。
【図３９】図３９は、前記図３８の分割画像印刷用紙を裁断後貼り合せて形成される仕上がり用紙の説明図である。
【図４０】図４０はレイアウト位置情報を付与する指定をした場合の説明図であり、図４０Ａは仕上がり画像の説明図、図４０Ｂは図４０Ａにおいて円で囲まれる部分の分割画像印刷用紙の拡大説明図、図４０Ｃは図４０Ｂの分割画像印刷用紙に印刷されたレイアウト位置情報の拡大説明図である。
【符号の説明】
１…分割印刷設定画面、１１…貼合位置情報設定画像、２２…識別番号指定画像、２３…識別線指定画像、２４…裁断位置情報指定画像、２５…レイアウト位置情報指定画像、２６…表面位置情報指定画像、３１〜３６…貼合位置情報、３１…重ね合わせ部分識別番号、３２…重ね合わせ部分識別線、３３…裁断位置情報、３４…表面位置情報、３６…レイアウト位置情報、Ｃ１…元画像記憶手段、Ｃ２…分割印刷設定画面表示手段、Ｃ１３…貼合位置情報指定手段、Ｃ１３Ａ…貼合位置情報設定画像表示手段、Ｃ１３Ｂ…貼合位置情報指定値記憶手段、Ｃ１４…識別番号指定手段、Ｃ１４Ａ…識別番号指定画像表示手段、Ｃ１４Ｂ…識別番号指定値記憶手段、Ｃ１５…識別線指定手段、Ｃ１５Ａ…識別線指定画像表示手段、Ｃ１５Ｂ…識別線指定値記憶手段、Ｃ１６…裁断位置情報指定手段、Ｃ１６Ａ…裁断位置情報指定画像表示手段、Ｃ１６Ｂ…裁断位置情報指定値記憶手段、
Ｃ１７…レイアウト位置情報指定手段、Ｃ１７Ａ…レイアウト位置情報指定画像表示手段、Ｃ１７Ｂ…レイアウト位置情報指定値記憶手段、Ｃ１８…表面位置情報指定手段、Ｃ１８Ａ…表面位置情報指定画像表示手段、Ｃ１８Ｂ…表面位置情報指定値記憶手段、Ｃ２１…印刷データ作成手段、Ｃ２２…印刷データ送信手段、Ｃ３１…受信印刷データ記憶手段、Ｃ３５Ａ…画像記録領域演算記憶手段、Ｃ３５Ｂ…印刷画像データ割り付け手段、Ｃ３５Ｄ…貼合位置情報割付手段、Ｃ３６…印刷制御手段、Ｃ４１…画像記録手段、Ｇ…元画像、Ｐｒ…印刷装置。
【図１】
2004289660.tif 000003
【図２】
2004289660.tif 000004
【図３】
2004289660.tif 000005
【図４】
2004289660.tif 000006
【図５】
2004289660.tif 000007
【図６】
2004289660.tif 000008
【図７】
2004289660.tif 000009
【図８】
2004289660.tif 000010
【図９】
2004289660.tif 000011
【図１０】
2004289660.tif 000012
【図１１】
2004289660.tif 000013
【図１２】
2004289660.tif 000014
【図１３】
2004289660.tif 000015
【図１４】
2004289660.tif 000016
【図１５】
2004289660.tif 000017
【図１６】
2004289660.tif 000018
【図１７】
2004289660.tif 000019
【図１８】
2004289660.tif 000020
【図１９】
2004289660.tif 000021
【図２０】
2004289660.tif 000022
【図２１】
2004289660.tif 000023
【図２２】
2004289660.tif 000024
【図２３】
2004289660.tif 000025
【図２４】
2004289660.tif 000026
【図２５】
2004289660.tif 000027
【図２６】
2004289660.tif 000028
【図２７】
2004289660.tif 000029
【図２８】
2004289660.tif 000030
【図２９】
2004289660.tif 000031
【図３０】
2004289660.tif 000032
【図３１】
2004289660.tif 000033
【図３２】
2004289660.tif 000034
【図３３】
2004289660.tif 000035
【図３４】
2004289660.tif 000036
【図３５】
2004289660.tif 000037
【図３６】
2004289660.tif 000038
【図３７】
2004289660.tif 000039
【図３８】
2004289660.tif 000040
【図３９】
2004289660.tif 000041
【図４０】
2004289660.tif 000042